(57)【要約】【課題】迅速に特定の商品を購入することができ、且つ特定の商品を購入することで任意の団体に寄付が行える、通信ネットワークを利用した商品販売または購入の方法を提供する。【解決手段】この通信ネットワークを利用した商品販売の方法は、インターネットなどの通信ネットワークを利用した商品販売の方法であって、ＷＷＷブラウザにより購入者端末により販売商品の内容および／または販売価格等の商品情報を閲覧できるように販売商品情報を取得するステップと、前記商品情報に含まれる販売価格と、販売価格に対応する寄付金が寄付される団体に寄付される寄付金額および／または寄付率とを提示するステップと、購入者を特定する情報を含む前記商品の購入申込み情報を受け入れるステップと、前記購入者による支払い処理が完了されたか否かを確認するステップと、前記購入者の購入申込み情報の内容に対応した寄付情報を記録するステップとを含む方法である。【選択図】図１
2004220629.tif 000002
【特許請求の範囲】
【請求項１】
ショッピングモールサーバと商品販売者端末と購入者端末とを含むインターネットなどの通信ネットワークを利用した商品販売の方法であって、
ＷＷＷブラウザによりインターネットなどの通信ネットワークを介して前記購入者端末によって販売商品の内容および／または販売価格等の商品情報を閲覧できるように、販売商品情報を前記ショッピングモールサーバに取得するステップと、
前記ショッピングモールサーバに取得された商品情報に含まれる販売価格と、販売価格に対応する寄付金が寄付される団体に寄付される寄付金額および／または寄付率とを前記ショッピングモールサーバの店舗情報管理手段より前記購入者端末に提示するステップと、
購入者を特定する情報を含む前記商品の購入申込み情報を前記購入者端末より前記ショッピングモールサーバに受け入れるステップと、
前記購入者による支払い処理が完了されたか否かを確認するステップと、
寄付状況管理手段により、前記購入者の購入申込み情報の内容に対応した寄付情報を寄付状況データベース部に記録及び管理し、且つ寄付に関するデータを検索するステップを含む、通信ネットワークを利用した商品販売の方法。
【請求項２】
ショッピングモールサーバと商品販売者端末と購入者端末と寄付団体端末を含むインターネットなどの通信ネットワークを利用した商品販売の方法であって、
ショッピングモールサーバの店舗情報管理手段が、ＷＷＷブラウザによりインターネットなどの通信ネットワークを介して前記購入者端末によって販売商品の内容および／または販売価格等の商品情報を閲覧できるように、販売商品情報を前記商品販売者端末より取得するステップと、
ショッピングモールサーバの寄付対象団体管理手段が、購入者が寄付団体の情報を閲覧できるように寄付団体情報を前記寄付団体端末より取得するステップと、
ショッピングモールサーバの前記店舗情報管理手段が、前記取得された販売商品情報に含まれる販売価格と、販売価格に対応する寄付金が寄付される団体に寄付される寄付金額および／または寄付率とを前記購入者端末に提示するステップと、
ショッピングモールサーバの前記寄付対象団体管理手段が、前記取得された寄付団体情報を前記購入者端末に提示するステップと、
ショッピングモールサーバのショッピングによる注文管理手段が、購入者を特定する情報を含む前記商品の購入申込み情報を前記購入者端末より受け入れるステップと、
ショッピングモールサーバの前記ショッピングによる注文管理手段が、購入者を特定する情報および購入者が選択した寄付情報を含む前記販売商品の購入申込み情報を前記購入者端末より受け入れるステップと、
ショッピングモールサーバの決済情報管理手段が、前記購入者による支払い処理が完了されたか否かの情報を取得するステップと、
ショッピングモールサーバの寄付状況管理手段が、前記購入申込み情報に含まれる前記寄付情報を記録及び管理し、且つ寄付に関するデータを検索するステップを含む、通信ネットワークを利用した商品販売の方法。
【請求項３】
ショッピングモールサーバの預り金管理手段が、
前記寄付状況管理手段によりプールされた寄付金を記録及び管理し、且つ寄付団体に対する支払い管理情報を前記寄付団体端末に通知するステップと、
ショッピングモールサーバの前記寄付状況管理手段が、
前記寄付情報から得られる前記寄付団体に対する寄付金の情報を支払未処理累計としてプールするステップと、
前記支払未処理累計から前記購入者端末より入力された支払処理額を差し引いた額を新たな支払未処理累計として再計算するステップとを含む、請求項１または請求項２に記載の通信ネットワークを利用した商品販売方法。
【請求項４】
ショッピングモールサーバと商品販売者端末と購入者端末とを含むインターネットなどのネットワークを利用した商品販売の方法であって、
ＷＷＷブラウザによりインターネットなどの通信ネットワークを介して前記購入者端末によってオークション商品の内容等の商品情報を閲覧できるようにオークション商品情報を前記ショッピングモールサーバに取得するステップと、
前記ショッピングモールサーバに取得されたオークション商品情報に含まれる少なくとも商品内容と、寄付金が寄付される団体に寄付される落札価格に対する寄付金額および／または寄付率とを前記ショッピングモールサーバの店舗情報管理手段より前記購入者端末に提示するステップと、
購入希望者を特定する情報を含むオークション商品に対する入札情報を前記購入者端末より前記ショッピングモールサーバに受け入れるステップと、
オークション商品の落札者を決定するステップと、
前記落札者による落札情報に対応する支払い処理が完了されたか否かを確認するステップと、
寄付状況管理手段により、前記落札者の入札情報の内容に対応した寄付情報を寄付状況データベース部に記録及び管理し、且つ寄付に関するデータを検索するステップとを含む、通信ネットワークを利用した商品販売の方法。
【請求項５】
ショッピングモールサーバと商品販売者端末と購入者端末と寄付団体端末を含むインターネットなどの通信ネットワークを利用した商品販売の方法であって、
ショッピングモールサーバの店舗情報管理手段が、ＷＷＷブラウザによりインターネットなどの通信ネットワークを介して前記購入者端末によってオークション商品の内容等の商品情報を閲覧できるように、オークション商品情報を前記商品販売者端末より取得するステップと、
ショッピングモールサーバの寄付対象団体管理手段が、購入者が寄付団体の情報を閲覧できるように寄付団体情報を前記寄付団体端末より取得するステップと、
ショッピングモールサーバの前記店舗情報管理手段が、前記取得されたオークション商品情報に含まれる少なくとも商品内容と、寄付金が寄付される団体に寄付される落札価格に対する寄付金額および／または寄付率とを前記購入者端末に提示するステップと、
ショッピングモールサーバの前記寄付対象団体管理手段が、前記取得された寄付団体情報を前記購入者端末に提示するステップと、
ショッピングモールサーバのオークションによる注文管理手段が、購入希望者を特定する情報を含むオークション商品に対する入札情報を前記購入者端末より受け入れるステップと、
ショッピングモールサーバの前記オークションによる注文管理手段が、購入者を特定する情報および購入者が選択した寄付情報を含む前記オークション商品に対する入札情報を前記購入者端末より受け入れるステップと、
ショッピングモールサーバの前記オークションによる注文管理手段が、入札された人数分の前記入札情報からオークション商品の落札者を判定するステップと、
ショッピングモールサーバの決済情報管理手段が、前記落札者による前記落札情報に対応する支払い処理が完了されたか否かの情報を取得するステップと、
ショッピングモールサーバの寄付状況管理手段が、前記落札情報の内容に対応した寄付情報を記録及び管理し、且つ寄付に関するデータを検索するステップを含む、通信ネットワークを利用した商品販売の方法。
【請求項６】
更に、ショッピングモールサーバの電子メール送受信手段が、前記落札情報および前記支払い処理が完了したこととを示す情報を前記商品販売者端末へ通知するステップを含む、請求項４または請求項５に記載の通信ネットワークを利用した商品販売の方法。
【請求項７】
前記寄付情報を記録するステップは、ショッピングモールサーバの前記寄付状況管理手段が、購入者の購入申込み情報の内容に対応した寄付情報データベースを作成または更新するステップを含む、請求項１ないし請求項６のいずれかに記載の通信ネットワークを利用した商品販売の方法。
【請求項８】
前記寄付情報を記録するステップは、ショッピングモールサーバの預り金管理手段が、預り金として預り金データベース部に記録するステップを含む、請求項１ないし請求項７のいずれかに記載の通信ネットワークを利用した商品販売の方法。
【請求項９】
更に、ショッピングモールサーバの前記寄付対象団体管理手段が、寄付金が寄付される団体に関する情報を提示するステップを含む、請求項１ないし請求項８のいずれかに記載の通信ネットワークを利用した商品販売の方法。
【請求項１０】
更に、ショッピングモールサーバの前記寄付状況管理手段が、購入者により決定された寄付金が寄付される団体の情報を前記購入者端末より取得するステップを含む、請求項１ないし請求項９のいずれかに記載の通信ネットワークを利用した商品販売の方法。
【請求項１１】
ショッピングモールサーバと商品販売者端末と購入者端末と寄付団体端末を含むインターネットなどのネットワークを利用した商品購入の方法であって、
ＷＷＷブラウザによりインターネットなどの通信ネットワークを介して前記購入者端末によって販売商品の内容および販売価格等の商品情報を閲覧できるように販売商品情報を前記ショッピングモールサーバに取得するステップと、
前記ショッピングモールサーバに取得された販売商品情報に含まれる少なくとも商品内容と販売価格と販売価格に含まれる寄付金が寄付される団体に寄付される寄付金額とを前記ショッピングモールサーバの店舗情報管理手段より購入者端末に提示するステップと、
購入者を特定する情報を含む前記商品の購入申込み情報を購入者端末より前記ショッピングモールサーバに入力するステップと、
前記購入者により購入申込みに対応する支払い処理が完了されたか否かを確認するステップと、
寄付状況管理手段により、前記購入者の購入申込み情報の内容に対応した寄付情報を管理する寄付状況データベース部を作成または更新するステップと、
前記購入者端末に前記購入申込み情報に対応する支払い処理を促す情報を、インターネットなどの通信ネットワークを介して通知する電子メール送受信手段により通知するステップと、
前記電子メール送受信手段が、前記購入者の前記購入申込み情報および前記支払い処理を完了したことを示す情報および前記販売商品を購入者に配送するための情報を商品販売者端末に通知するステップとを含み、
前記購入者端末が、
前記店舗情報管理手段により提示された前記販売商品情報を表示するステップと、
前記寄付対象団体管理手段により提示された前記販売商品情報を表示するステップとを備え、
前記商品販売者端末が、
前記店舗情報管理手段に対して商品販売者の情報を登録するステップを備え、
前記寄付団体端末が、
前記寄付対象団体管理手段に対して前記寄付団体の情報を登録するステップを備えた、通信ネットワークを利用した商品購入の方法。
【請求項１２】
前記販売商品情報を取得するステップには、販売者が決定した任意の団体に寄付される寄付金額を、ショッピングモールサーバの前記店舗情報管理手段において取得するステップが含まれる、請求項１１に記載の通信ネットワークを利用した商品購入の方法。
【請求項１３】
ショッピングモールサーバの前記店舗情報管理手段において前記販売者が決定した任意の団体に寄付される寄付金額を記憶するステップが、任意の寄付金額に対応して複数回実行できることを特徴とする、請求項１１または請求項１２に記載の通信ネットワークを利用した商品購入の方法。
【請求項１４】
ショッピングモールサーバと商品販売者端末と購入者端末と寄付団体端末とを含むインターネットなどのネットワークを利用した商品購入の方法であって、
ＷＷＷブラウザによりインターネットなどの通信ネットワークを介して前記購入者端末によってオークション商品の内容等の商品情報を閲覧できるようにオークション商品情報を取得するステップと、
前記ショッピングモールサーバに取得されたオークション商品情報に含まれる少なくとも商品内容と寄付金が寄付される団体に寄付される落札価格に対する寄付金額の割合とを前記ショッピングモールサーバの店舗情報管理手段より購入者端末に提示するステップと、
購入希望者を特定する情報を含むオークション商品に対する入札情報を購入者端末より前記ショッピングモールサーバに入力するステップと、
オークション商品の落札者を決定するステップと、
落札者の購入者端末に落札情報をネットワークを介して電子メール送受信手段により通知するステップと、
前記落札者により落札情報に対応する支払い処理が完了されたか否かを確認するステップと、
寄付状況管理手段により、前記落札者の入札情報の内容に対応した寄付情報を管理する寄付状況データベース部を作成または更新するステップと、
前記電子メール送受信手段が、前記購入者の前記入札情報及び前記支払い処理を完了したことを示す情報および前記オークション商品を購入者に配送するための情報を商品販売者端末に通知するステップを含み、
前記購入者端末が、
前記店舗情報管理手段により提示された前記販売商品情報を表示するステップと、
前記寄付対象団体管理手段により提示された前記販売商品情報を表示するステップとを備え、
前記商品販売者端末が、
前記店舗情報管理手段に対して商品販売者の情報を登録するステップを備え、
前記寄付団体端末が、
前記寄付対象団体管理手段に対して前記寄付団体の情報を登録するステップを備えた、通信ネットワークを利用した商品購入の方法。
【請求項１５】
前記オークション商品情報を取得するステップには、販売者が決定した任意の団体に寄付される落札価格に対する割合を記憶するステップが含まれる、請求項１４に記載の通信ネットワークを利用した商品購入の方法。
【請求項１６】
ショッピングモールサーバの前記店舗情報管理手段において前記販売者が決定した任意の団体に寄付される落札価格に対する割合を記憶するステップが、寄付割合に対応して複数回実行できることを特徴とする、請求項１４または請求項１５に記載の通信ネットワークを利用した商品購入の方法。
【請求項１７】
ショッピングモールサーバの前記寄付対象団体管理手段が、寄付金が寄付される団体に関する情報を前記購入者端末に提示するステップを含む、請求項１１ないし請求項１６のいずれかに記載の通信ネットワークを利用した商品購入の方法。
【請求項１８】
ショッピングモールサーバの前記寄付対象管理手段が、前記寄付金が寄付される団体に関する情報を前記購入者端末に提示するステップは、寄付実績の大小に基づいてランキングされ表示することを特徴を含む、請求項１７に記載の通信ネットワークを利用した商品購入の方法。
【請求項１９】
ショッピングモールサーバの前記寄付状況管理手段が、購入者により決定された寄付金が寄付される団体の情報を前記購入者端末より取得するステップを含む、請求項１１ないし請求項１８のいずれかに記載の通信ネットワークを利用した商品購入の方法。
【請求項２０】
購入者により寄付金を寄付する団体が選択された情報と前記団体に対する寄付金の金額が決定された情報とが、ショッピングモールサーバに入力されるステップを含む、請求項１１ないし請求項１８のいずれかに記載の通信ネットワークを利用した商品購入の方法。
【請求項２１】
前記購入者により寄付金を寄付する団体が選択された情報と前記団体に対する寄付金の金額が決定された情報とが、ショッピングモールサーバに入力されるステップは、購入者または落札者により適宜な時点で行われる、請求項２０に記載の通信ネットワークを利用した商品購入の方法。
【発明の詳細な説明】
【技術分野】
【０００１】
この発明は、ネットワークを利用した商品販売または購入の方法に関し、特にたとえば、商品を購入することで一定の団体に寄付金を寄付することが行えるネットワークを利用した商品販売または購入の方法である。
【背景技術】
【０００２】
従来より、商品販売者がインターネットのホームページ上に掲示した販売商品をオークションまたは指値販売により商品を販売する方法が知られている。従来インターネット上のオークションの場合には、出品された商品に対して購入希望者がＷＷＷブラウザに表示された入力画面により入札金額等を示した入札情報の入力が行われ、最高値の入札額を入札した者に商品落札情報が電子メールやホームページ上で通知されていた。その後、購入者は氏名，住所および支払い方法等を電子メールやホームページを用いて商品販売者に通知した後、料金支払い処理を行なっていた。そして支払いの完了を確認した商品販売者は商品を落札者に送付することで商品販売が完了されていた。
また指値販売の場合には、ＷＷＷブラウザにより商品販売者が指定した金額を確認し、購入申込み画面により購入者の氏名，住所および支払い方法等が入力されることで購入申込みが行われていた。その後は、オークションのときと同様に購入者は氏名，住所および支払い方法等を電子メールやホームページを用いて商品販売者に通知した後、料金支払い処理が行なわれていた。そして支払いの完了を確認した商品販売者は商品を落札者に送付することで商品販売が完了されていた。
【０００３】
【非特許文献１】「［考現学］「寄付大国」アメリカ  最先端行く“集金テク”」,読売新聞,東京朝刊,１９９９年８月２９日,第３頁,読売新聞社
【発明の開示】
【発明が解決しようとする課題】
【０００４】
しかしながら、従来の方法ではホームページ上に掲載された特定の商品を取得する事に魅力を感じる者（購入意欲者）のみが商品を購入することで購入者の要求を満たすだけであった。購入者の中には社会貢献等の観点から任意の慈善団体等に寄付金を寄付したいと願う者（社会貢献希望者）が存在していたが、そのような機会・場所が提供されないため実際に寄付を行えず不満を募らせる者も存在していた。
非特許文献１では購入金額に応じた金額の寄付を行うことが記載されているが、この非特許文献１に記載の寄付の方法は、商品の売主たる企業が福祉団体に寄付するものである。
【０００５】
それゆえに、この発明の主たる目的は、迅速に特定の商品を購入することができ、且つ特定の商品を購入することで任意の団体に寄付が行える、通信ネットワークを利用した商品販売または購入の方法を提供することである。
【課題を解決するための手段】
【０００６】
この発明の請求項１にかかる通信ネットワークを利用した商品販売の方法は、ショッピングモールサーバと商品販売者端末と購入者端末とを含むインターネットなどの通信ネットワークを利用した商品販売の方法であって、ＷＷＷブラウザによりインターネットなどの通信ネットワークを介して前記購入者端末によって販売商品の内容および／または販売価格等の商品情報を閲覧できるように、販売商品情報を前記ショッピングモールサーバに取得するステップと、前記ショッピングモールサーバに取得された商品情報に含まれる販売価格と、販売価格に対応する寄付金が寄付される団体に寄付される寄付金額および／または寄付率とを前記ショッピングモールサーバの店舗情報管理手段より前記購入者端末に提示するステップと、購入者を特定する情報を含む前記商品の購入申込み情報を前記購入者端末より前記ショッピングモールサーバに受け入れるステップと、前記購入者による支払い処理が完了されたか否かを確認するステップと、寄付状況管理手段により、前記購入者の購入申込み情報の内容に対応した寄付情報を寄付状況データベース部に記録及び管理し、且つ寄付に関するデータを検索するステップを含む、通信ネットワークを利用した商品販売の方法である。
この発明の請求項２にかかる通信ネットワークを利用した商品販売の方法は、ショッピングモールサーバと商品販売者端末と購入者端末と寄付団体端末を含むインターネットなどの通信ネットワークを利用した商品販売の方法であって、ショッピングモールサーバの店舗情報管理手段が、ＷＷＷブラウザによりインターネットなどの通信ネットワークを介して前記購入者端末によって販売商品の内容および／または販売価格等の商品情報を閲覧できるように、販売商品情報を前記商品販売者端末より取得するステップと、ショッピングモールサーバの寄付対象団体管理手段が、購入者が寄付団体の情報を閲覧できるように寄付団体情報を前記寄付団体端末より取得するステップと、ショッピングモールサーバの前記店舗情報管理手段が、前記取得された販売商品情報に含まれる販売価格と、販売価格に対応する寄付金が寄付される団体に寄付される寄付金額および／または寄付率とを前記購入者端末に提示するステップと、ショッピングモールサーバの前記寄付対象団体管理手段が、前記取得された寄付団体情報を前記購入者端末に提示するステップと、ショッピングモールサーバのショッピングによる注文管理手段が、購入者を特定する情報を含む前記商品の購入申込み情報を前記購入者端末より受け入れるステップと、ショッピングモールサーバの前記ショッピングによる注文管理手段が、購入者を特定する情報および購入者が選択した寄付情報を含む前記販売商品の購入申込み情報を前記購入者端末より受け入れるステップと、ショッピングモールサーバの決済情報管理手段が、前記購入者による支払い処理が完了されたか否かの情報を取得するステップと、ショッピングモールサーバの寄付状況管理手段が、前記購入申込み情報に含まれる前記寄付情報を記録及び管理し、且つ寄付に関するデータを検索するステップを含む、通信ネットワークを利用した商品販売の方法である。
この発明の請求項３にかかる通信ネットワークを利用した商品販売の方法は、ショッピングモールサーバの預り金管理手段が、前記寄付状況管理手段によりプールされた寄付金を記録及び管理し、且つ寄付団体に対する支払い管理情報を前記寄付団体端末に通知するステップと、ショッピングモールサーバの前記寄付状況管理手段が、前記寄付情報から得られる前記寄付団体に対する寄付金の情報を支払未処理累計としてプールするステップと、前記支払未処理累計から前記購入者端末より入力された支払処理額を差し引いた額を新たな支払未処理累計として再計算するステップとを含む、請求項１または請求項２に記載の通信ネットワークを利用した商品販売の方法である。
この発明の請求項４にかかる通信ネットワークを利用した商品販売の方法は、ショッピングモールサーバと商品販売者端末と購入者端末とを含むインターネットなどのネットワークを利用した商品販売の方法であって、ＷＷＷブラウザによりインターネットなどの通信ネットワークを介して前記購入者端末によってオークション商品の内容等の商品情報を閲覧できるようにオークション商品情報を前記ショッピングモールサーバに取得するステップと、前記ショッピングモールサーバに取得されたオークション商品情報に含まれる少なくとも商品内容と、寄付金が寄付される団体に寄付される落札価格に対する寄付金額および／または寄付率とを前記ショッピングモールサーバの店舗情報管理手段より前記購入者端末に提示するステップと、購入希望者を特定する情報を含むオークション商品に対する入札情報を前記購入者端末より前記ショッピングモールサーバに受け入れるステップと、オークション商品の落札者を決定するステップと、前記落札者による落札情報に対応する支払い処理が完了されたか否かを確認するステップと、寄付状況管理手段により、前記落札者の入札情報の内容に対応した寄付情報を寄付状況データベース部に記録及び管理し、且つ寄付に関するデータを検索するステップとを含む、通信ネットワークを利用した商品販売の方法である。
この発明の請求項５にかかる通信ネットワークを利用した商品販売の方法は、ショッピングモールサーバと商品販売者端末と購入者端末と寄付団体端末を含むインターネットなどの通信ネットワークを利用した商品販売の方法であって、ショッピングモールサーバの店舗情報管理手段が、ＷＷＷブラウザによりインターネットなどの通信ネットワークを介して前記購入者端末によってオークション商品の内容等の商品情報を閲覧できるように、オークション商品情報を前記商品販売者端末より取得するステップと、ショッピングモールサーバの寄付対象団体管理手段が、購入者が寄付団体の情報を閲覧できるように寄付団体情報を前記寄付団体端末より取得するステップと、ショッピングモールサーバの前記店舗情報管理手段が、前記取得されたオークション商品情報に含まれる少なくとも商品内容と、寄付金が寄付される団体に寄付される落札価格に対する寄付金額および／または寄付率とを前記購入者端末に提示するステップと、ショッピングモールサーバの前記寄付対象団体管理手段が、前記取得された寄付団体情報を前記購入者端末に提示するステップと、ショッピングモールサーバのオークションによる注文管理手段が、購入希望者を特定する情報を含むオークション商品に対する入札情報を前記購入者端末より受け入れるステップと、ショッピングモールサーバの前記オークションによる注文管理手段が、購入者を特定する情報および購入者が選択した寄付情報を含む前記オークション商品に対する入札情報を前記購入者端末より受け入れるステップと、ショッピングモールサーバの前記オークションによる注文管理手段が、入札された人数分の前記入札情報からオークション商品の落札者を判定するステップと、ショッピングモールサーバの決済情報管理手段が、前記落札者による前記落札情報に対応する支払い処理が完了されたか否かの情報を取得するステップと、ショッピングモールサーバの寄付状況管理手段が、前記落札情報の内容に対応した寄付情報を記録及び管理し、且つ寄付に関するデータを検索するステップを含む、通信ネットワークを利用した商品販売の方法である。
この発明の請求項６にかかる通信ネットワークを利用した商品販売の方法は、更に、ショッピングモールサーバの電子メール送受信手段が、前記落札情報および前記支払い処理が完了したこととを示す情報を前記商品販売者端末へ通知するステップを含む、請求項４または請求項５に記載の通信ネットワークを利用した商品販売の方法である。
この発明の請求項７にかかる通信ネットワークを利用した商品販売の方法は、前記寄付情報を記録するステップは、ショッピングモールサーバの前記寄付状況管理手段が、購入者の購入申込み情報の内容に対応した寄付情報データベースを作成または更新するステップを含む、請求項１ないし請求項６のいずれかに記載の通信ネットワークを利用した商品販売の方法である。
この発明の請求項８にかかる通信ネットワークを利用した商品販売の方法は、前記寄付情報を記録するステップは、ショッピングモールサーバの預り金管理手段が、預り金として預り金データベース部に記録するステップを含む、請求項１ないし請求項７のいずれかに記載の通信ネットワークを利用した商品販売の方法である。
この発明の請求項９にかかる通信ネットワークを利用した商品販売の方法は、更に、ショッピングモールサーバの前記寄付対象団体管理手段が、寄付金が寄付される団体に関する情報を提示するステップを含む、請求項１ないし請求項８のいずれかに記載の通信ネットワークを利用した商品販売の方法である。
この発明の請求項１０にかかる通信ネットワークを利用した商品販売の方法は、更に、ショッピングモールサーバの前記寄付状況管理手段が、購入者により決定された寄付金が寄付される団体の情報を前記購入者端末より取得するステップを含む、請求項１ないし請求項９のいずれかに記載の通信ネットワークを利用した商品販売の方法である。
この発明の請求項１１にかかる通信ネットワークを利用した商品購入の方法は、ショッピングモールサーバと商品販売者端末と購入者端末と寄付団体端末を含むインターネットなどのネットワークを利用した商品購入の方法であって、ＷＷＷブラウザによりインターネットなどの通信ネットワークを介して前記購入者端末によって販売商品の内容および販売価格等の商品情報を閲覧できるように販売商品情報を前記ショッピングモールサーバに取得するステップと、前記ショッピングモールサーバに取得された販売商品情報に含まれる少なくとも商品内容と販売価格と販売価格に含まれる寄付金が寄付される団体に寄付される寄付金額とを前記ショッピングモールサーバの店舗情報管理手段より購入者端末に提示するステップと、購入者を特定する情報を含む前記商品の購入申込み情報を購入者端末より前記ショッピングモールサーバに入力するステップと、前記購入者により購入申込みに対応する支払い処理が完了されたか否かを確認するステップと、寄付状況管理手段により、前記購入者の購入申込み情報の内容に対応した寄付情報を管理する寄付状況データベース部を作成または更新するステップと、前記購入者端末に前記購入申込み情報に対応する支払い処理を促す情報を、インターネットなどの通信ネットワークを介して通知する電子メール送受信手段により通知するステップと、前記電子メール送受信手段が、前記購入者の前記購入申込み情報および前記支払い処理を完了したことを示す情報および前記販売商品を購入者に配送するための情報を商品販売者端末に通知するステップとを含み、前記購入者端末が、前記店舗情報管理手段により提示された前記販売商品情報を表示するステップと、前記寄付対象団体管理手段により提示された前記販売商品情報を表示するステップとを備え、前記商品販売者端末が、前記店舗情報管理手段に対して商品販売者の情報を登録するステップを備え、前記寄付団体端末が、前記寄付対象団体管理手段に対して前記寄付団体の情報を登録するステップを備えた、通信ネットワークを利用した商品購入の方法である。
この発明の請求項１２にかかる通信ネットワークを利用した商品購入の方法は、前記販売商品情報を取得するステップには、販売者が決定した任意の団体に寄付される寄付金額を、ショッピングモールサーバの前記店舗情報管理手段において取得するステップが含まれる、請求項１１に記載の通信ネットワークを利用した商品購入の方法である。
この発明の請求項１３にかかる通信ネットワークを利用した商品購入の方法は、ショッピングモールサーバの前記店舗情報管理手段において前記販売者が決定した任意の団体に寄付される寄付金額を記憶するステップが、任意の寄付金額に対応して複数回実行できることを特徴とする、請求項１１または請求項１２に記載の通信ネットワークを利用した商品購入の方法である。
この発明の請求項１４にかかる通信ネットワークを利用した商品購入の方法は、ショッピングモールサーバと商品販売者端末と購入者端末と寄付団体端末とを含むインターネットなどのネットワークを利用した商品購入の方法であって、ＷＷＷブラウザによりインターネットなどの通信ネットワークを介して前記購入者端末によってオークション商品の内容等の商品情報を閲覧できるようにオークション商品情報を取得するステップと、前記ショッピングモールサーバに取得されたオークション商品情報に含まれる少なくとも商品内容と寄付金が寄付される団体に寄付される落札価格に対する寄付金額の割合とを前記ショッピングモールサーバの店舗情報管理手段より購入者端末に提示するステップと、購入希望者を特定する情報を含むオークション商品に対する入札情報を購入者端末より前記ショッピングモールサーバに入力するステップと、オークション商品の落札者を決定するステップと、落札者の購入者端末に落札情報をネットワークを介して電子メール送受信手段により通知するステップと、前記落札者により落札情報に対応する支払い処理が完了されたか否かを確認するステップと、寄付状況管理手段により、前記落札者の入札情報の内容に対応した寄付情報を管理する寄付状況データベース部を作成または更新するステップと、前記電子メール送受信手段が、前記購入者の前記入札情報及び前記支払い処理を完了したことを示す情報および前記オークション商品を購入者に配送するための情報を商品販売者端末に通知するステップを含み、前記購入者端末が、前記店舗情報管理手段により提示された前記販売商品情報を表示するステップと、前記寄付対象団体管理手段により提示された前記販売商品情報を表示するステップとを備え、前記商品販売者端末が、前記店舗情報管理手段に対して商品販売者の情報を登録するステップを備え、前記寄付団体端末が、前記寄付対象団体管理手段に対して前記寄付団体の情報を登録するステップを備えた、通信ネットワークを利用した商品購入の方法である。
この発明の請求項１５にかかる通信ネットワークを利用した商品購入の方法は、前記オークション商品情報を取得するステップには、販売者が決定した任意の団体に寄付される落札価格に対する割合を記憶するステップが含まれる、請求項１４に記載の通信ネットワークを利用した商品購入の方法である。
この発明の請求項１６にかかる通信ネットワークを利用した商品購入の方法は、ショッピングモールサーバの前記店舗情報管理手段において前記販売者が決定した任意の団体に寄付される落札価格に対する割合を記憶するステップが、寄付割合に対応して複数回実行できることを特徴とする、請求項１４または請求項１５に記載の通信ネットワークを利用した商品購入の方法である。
この発明の請求項１７にかかる通信ネットワークを利用した商品購入の方法は、ショッピングモールサーバの前記寄付対象団体管理手段が、寄付金が寄付される団体に関する情報を前記購入者端末に提示するステップを含む、請求項１１ないし請求項１６のいずれかに記載の通信ネットワークを利用した商品購入の方法である。
この発明の請求項１８にかかる通信ネットワークを利用した商品購入の方法は、ショッピングモールサーバの前記寄付対象管理手段が、前記寄付金が寄付される団体に関する情報を前記購入者端末に提示するステップは、寄付実績の大小に基づいてランキングされ表示することを特徴を含む、請求項１７に記載の通信ネットワークを利用した商品購入の方法である。
この発明の請求項１９にかかる通信ネットワークを利用した商品購入の方法は、ショッピングモールサーバの前記寄付状況管理手段が、購入者により決定された寄付金が寄付される団体の情報を前記購入者端末より取得するステップを含む、請求項１１ないし請求項１８のいずれかに記載の通信ネットワークを利用した商品購入の方法である。
この発明の請求項２０にかかる通信ネットワークを利用した商品購入の方法は、購入者により寄付金を寄付する団体が選択された情報と前記団体に対する寄付金の金額が決定された情報とが、ショッピングモールサーバに入力されるステップを含む、請求項１１ないし請求項１８のいずれかに記載の通信ネットワークを利用した商品購入の方法である。
この発明の請求項２１にかかる通信ネットワークを利用した商品購入の方法は、前記購入者により寄付金を寄付する団体が選択された情報と前記団体に対する寄付金の金額が決定された情報とが、ショッピングモールサーバに入力されるステップは、購入者または落札者により適宜な時点で行われる、請求項２０に記載の通信ネットワークを利用した商品購入の方法である。
【発明の効果】
【０００７】
この発明によれば、迅速に特定の商品を購入することができ、且つ特定の商品を購入することで任意の団体に寄付が行えるネットワークを利用した商品購入の方法を提供することができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、本発明に関連するネットワークを利用した商品購入の方法が適用されたショッピングシステムを示す図解図である。ショッピングシステム１０は、大略、購入者端末１２とショッピングモールサーバ１４と商品販売者端末１６と支払処理機関サーバ１８およびネットワーク１００から構成されている。
【００１０】
購入者端末１２は、インターネットなどのネットワーク１００を介してショッピングモールサーバ１４と接続し、ショッピングモールサーバ１４に登録された商品の内容を閲覧し、購入申込み時に入力する購入者の氏名，住所や支払い方法等の購入申込みデータやオークション入札時に入力する入札情報を入力する機能を有する。また、購入者端末１２は任意のメールサーバ（図示せず）とＳＭＴＰプロトコルおよびＰＯＰ３プロトコルに基づいて電子メールの送受信を行う機能を有する。なお、購入者端末１２としては、インターネットなどのネットワーク１００に接続可能な通信機器を有しＷＷＷブラウザアプリケーションおよびメールクライアントアプリケーションがインストールされたワークステーションやパーソナルコンピュータやインターネット接続機能を有する携帯電話が使用される。
【００１１】
ショッピングモールサーバ１４は、購入者端末１２，商品販売者端末１６および支払処理機関サーバ１８と各種のデータをやり取りすることにより、商品の販売および任意の団体に寄付される寄付金の管理を行う機能を有する。図２は、ショッピングモールサーバ１４を示す機能ブロック図である。ショッピングモールサーバ１４は、ＷＷＷサーバ機能部２０、電子メール送受信部２２、商品データベース部２４、落札データベース部２６、注文データベース部２８、会員データベース部３０、決済情報データベース部３２および寄付状況データベース部３４を有する。
【００１２】
ＷＷＷサーバ機能部２０は、ＨＴＴＰプロトコルに基づいて購入者端末１２および商品販売者端末１６に各種のデータを配信する機能を有する。なお、具体的に配信されるデータとしては、後に詳述する商品データベース部２４に記録された販売商品に関する内容を表示するデータ、オークション商品に関する内容を表示するデータ、購入申込みデータを入力する画面を表示するデータ、入札データを入力する画面を表示するデータや購入者端末１２および商品販売者端末１６により入力されたデータを確認する表示を行うデータなどのデータの閲覧および入力のために用いられる様々な画面のデータが送信される。
【００１３】
電子メール送受信部２２は、ＳＭＴＰプロトコルおよびＰＯＰ３プロトコルに基づいて電子メールの送受信を行う機能を有する。なお、具体的に送信または受信される電子メールとしては、オークションにより商品を落札した者に落札内容を知らせる電子メールや購入商品への購入申込みが行われたときに行う購入申込みのための電子メールなどが送信される。
【００１４】
商品データベース部２４は、ショッピングモールサーバ１４において販売またはオークションされる商品の商品内容のデータの他に、商品が指値販売の場合には販売価格に含まれる寄付金が寄付される団体に寄付される寄付金額のデータが記憶されており、商品がオークション販売の場合には、寄付金が寄付される団体に寄付される落札価格に対する寄付金額の割合を示すデータが記憶されている。なお、商品データベース部２４は、ＷＷＷサーバ機能部２０により提供される商品データ登録インターフェイスを介して、適宜商品販売者により商品販売者端末１６を用いてデータが登録されている。
具体的には、ショッピング商品については、商品コード、商品名、フリガナ、検索のためのキーワード、商品の説明文、仕様／内容説明、価格、送料、寄付率等のデータが記録し管理され、オークション商品については、商品コード、商品名、商品分類、検索のためのキーワード、商品の説明文、使用／内容説明、入札開始価格、入札レート、送料、オークション期間（開始日および終了日）、寄付率等のデータが記録し管理される。
【００１５】
落札データベース部２６は、オークション販売において商品が落札された価格、落札者の氏名や住所等の個人情報および支払い方法などのデータが記憶されている。また、落札データベース部２６は、入札者から入札された入札データを記憶・管理し入札期間および入札データに基づいて落札者を決定する機能も有する。
具体的には、店舗名、終了日、商品ＩＤ、商品名、入札数、入札レート、入札開始価格、落札者ＩＤ、落札価格等のデータが記録し管理される。
【００１６】
注文データベース部２８は、ＷＷＷサーバ機能部２０により提供された購入申込みデータを入力する画面（インターフェイス）から入力された購入申込みデータが記憶されている。注文データベース部２８に記憶されている購入申込みデータは、商品販売者が使用する商品販売者端末１６により内容が閲覧され商品販売者が注文内容を確認するために用いられる。
具体的には、注文情報（注文ナンバー、注文日、店舗ＩＤ、店舗名、出品区分、寄付先ＮＰＯ）、注文者（会員ＩＤ、注文者氏名、氏名フリガナ、郵便番号、住所、メールアドレス、電話番号、ファックス番号）、配達先（氏名、フリガナ、住所、電話番号、メールアドレス）、注文状況（受付）、注文商品情報（商品ＩＤ、商品名、個数、単価、寄付額、送料、金額、合計寄付額）等のデータが記録し管理される。
【００１７】
会員データベース部３０は、ショッピングモールサーバ１４に会員として登録している、購入者や商品販売者の氏名または名称、住所、ホームページのＵＲＬ、電子メールアドレス連絡先などの各々の会員特有の情報を、データとして記憶している。会員データベース部３０のデータは、購入者や商品販売者がＷＷＷサーバ機能部２０により提供された会員登録情報のための画面から入力されたデータが記憶されたり、ショッピングモールサーバ１４の管理者により入力される。
具体的には、氏名、フリガナ、ニックネーム、会員ＩＤ、パスワード、性別、生年月日、電話番号、ファックス番号、住所、会員メールアドレス、個人のホームページＵＲＬ，職業、既婚／未婚、子供の数、年収、興味あるカテゴリ、ＤＭの送付の可否等のデータが記録し管理される。
【００１８】
決済情報データベース部３２は、商品の指値販売およびオークション販売により生じた購入者の支払い処理に関するデータを記憶している。記憶されているデータを具体的に説明すると、購入者の支払い処理状況を示すデータが記憶されており、商品販売者が使用する商品販売者端末１６により内容が閲覧することができ、商品販売者が支払い状況の確認するために用いられる。なお、商品販売者が支払い状況の確認する場合には、予め各商品販売者に付与されたＩＤおよびパスワードを用いて商品販売者の認証を行い、認証された商品販売者と関係のないデータは閲覧されないように構成されている。
【００１９】
寄付状況データベース部３４は、購入者により商品購入が行われたり、商品販売者により商品販売が行われたりすることで生じた寄付金の額や、実際に寄付を行った状態などが記憶されている。寄付状況データベース部３４に記憶されているデータは、購入者がショッピングモールサーバ１４に接続中に購入者端末１２の画面上に表示されるか、任意の確認画面により表示されることにより購入者および商品販売者に提供される。
【００２０】
寄付対象団体データベース部３６は、寄付金が寄付される団体に関する様々なデータが記憶されている。記憶されているデータとしては、団体の活動内容を説明したテキストデータや写真データ等の他、団体がインターネットのホームページを有しているときには、そのＵＲＬ等も記憶されている。
具体的には、団体名、フリガナ、ＮＰＯＩＤ、パスワード、ＮＰＯ分類、電話番号、ファックス番号、所在地、代表者名、担当部署名、担当者名、担当者メールアドレス、ＵＲＬ、ＮＰＯ案内文、サンクスメッセージ、問い合わせ先メールアドレス、寄付の受付の可否等のデータが記録し管理される。
【００２１】
商品販売者端末１６は、購入者端末１２と同様に、インターネットなどのネットワーク１００を介してショッピングモールサーバ１４と接続し、ショッピングモールサーバ１４に販売商品やオークション商品の商品内容のデータを登録したり、注文内容の確認、支払い状況の確認、商品の配送状況の入力をする機能を有する。また、商品販売者端末１６は任意のメールサーバ（図示せず）とＳＭＴＰプロトコルおよびＰＯＰ３プロトコルに基づいて電子メールの送受信を行う機能を有する。なお、商品販売者端末１６としては、インターネットなどのネットワーク１００に接続可能な通信機器を有しＷＷＷブラウザアプリケーションおよびメールクライアントアプリケーションがインストールされたワークステーションやパーソナルコンピュータが使用される。
【００２２】
支払処理機関サーバ１８は、ショッピングモールサーバ１４における商品購入により生じた支払い義務に対応して支払いが行われた支払い処理を認識し、支払い状況をショッピングモールサーバ１４に購入者の支払い処理状況を示すデータを入力し、決済情報データベース部３２の内容を更新する機能を有する。なお、支払処理機関サーバ１８としては、銀行やコンビニエンスストアなどに設置されているＡＴＭ端末やレジスタを管理するホストコンピュータが使用される。
ネットワーク１００には、上述したインターネット回線の他に、ＬＡＮ回線網、公衆電話回線網、ＩＳＤＮ回線網、無線パケット通信網などが使用される。
【００２３】
引き続き、本発明にかかるネットワークを利用した商品購入の方法が適用されたショッピングシステム１０の動作について説明する。
【００２４】
図３は、本発明に関連するネットワークを利用した商品購入の方法が適用されたショッピングシステム１０においてオークション販売が行われる場合の動作を示すフローチャート図である。以下、図３を参照しながらオークション販売が行われる場合の動作について説明する。
【００２５】
まず、商品販売者端末１６によりショッピングモールサーバ１４にオークション商品の登録が行われる（ステップＳ１）。登録が行われる内容は、商品内容を示すデータやオークションの開始価格のデータの他、落札価格に対する寄付金額の割合を示すデータが入力される。
【００２６】
次に、ＷＷＷサーバ機能部２０によりオークション商品に関するページがホームページに表示され、購入希望者により購入端末が使用されて入札データの入力が行われる（ステップＳ２）。
【００２７】
そして、入札期間を経過したものについては、落札データベース部２６により落札者が決定され、電子メール送受信部２２により落札内容を通知する電子メールが落札者および商品販売者に送信される。また、落札者が決定されるのと連動して、寄付状況データベース部３４の落札者の寄付状況に関するデータが更新される（ステップＳ３）。なお、落札者および商品販売者の電子メールは、適宜会員データベース部３０から検索・抽出される。
【００２８】
落札者は落札内容を通知する電子メールの内容に基づいて、任意の支払機関においては落札金の支払い処理を行う（ステップＳ４）。
【００２９】
落札者により支払い処理が行われた支払機関の支払処理機関サーバ１８は、ショッピングモールサーバ１４に落札者の支払い完了を示すデータを入力し、決済情報データベース部３２の内容を更新する。（ステップＳ５）。
【００３０】
支払処理機関サーバ１８により落札者の支払い完了を示すデータが入力された後は、電子メール送受信部２２により商品販売者端末１６に支払い完了の確認を通知する電子メールが送信される（ステップＳ６）。
【００３１】
支払い完了の確認を伝える電子メールを受信した商品販売者は、落札された商品の落札内容を通知する電子メールの内容に基づいて、落札者への落札商品の発送を行う（ステップＳ７）。
【００３２】
このように、本発明にかかるネットワークを利用した商品購入の方法が適用されたショッピングシステム１０においては、オークション販売に伴う各種の処理が迅速に行われ、また、購入者が商品購入することにより発生した寄付金に関する情報を迅速に把握・処理することができる。なお、購入者においては、商品購入を完了した直後やその他適当な時期に寄付金を寄付する団体を選択し、寄付金の一部または全部を寄付することが可能である。
【００３３】
図４は、本発明に関連するネットワークを利用した商品購入の方法が適用されたショッピングシステム１０において指値による商品販売が行われる場合の動作を示すフローチャート図である。以下、図４を参照しながら指値による商品販売が行われる場合の動作について説明する。
【００３４】
まず、商品販売者端末１６によりショッピングモールサーバ１４に指値による販売商品の登録が行われる（ステップＳ２１）。登録が行われる内容は、商品内容を示すデータや販売価格のデータの他、販売価格に含まれる寄付金額を示すデータが入力される。
【００３５】
次に、ＷＷＷサーバ機能部２０により商品販売に関するページがホームページに表示され、購入希望者により購入端末が使用されて購入申込みデータの入力が行われる。そして、購入申込みデータの入力が行われるのと連動して寄付状況データベース部３４の購入者の寄付状況に関するデータが更新される（ステップＳ２２）。
【００３６】
購入者は入力した購入申込み内容に基づいて、任意の支払機関において支払い処理を行う（ステップＳ２３）。
【００３７】
購入者により支払い処理が行われた支払機関の支払処理機関サーバ１８は、ショッピングモールサーバ１４に購入者の支払い完了を示すデータを入力し、決済情報データベース部３２の内容を更新する（ステップＳ２４）。
【００３８】
支払処理機関サーバ１８により購入者の支払い完了を示すデータが入力された後は、電子メール送受信部２２により商品販売者端末１６に購入申込み内容および支払い完了の確認を伝える電子メールが送信される（ステップＳ２５）。
【００３９】
購入申込み内容および支払い完了の確認を伝える電子メールを受信した商品販売者は、購入された商品を電子メールの内容に基づいて購入者への発送を行う（ステップＳ２６）。
【００４０】
このように、本発明にかかるネットワークを利用した商品購入の方法が適用されたショッピングシステム１０においては、指値販売に伴う各種の処理が迅速に行われ、また、購入者が商品購入することにより発生した寄付金に関する情報を迅速に把握・処理することができる。なお、購入者においては、オークション販売の時と同様に、商品購入を完了した直後やその他適当な時期に寄付金を寄付する団体を選択し、寄付金の一部または全部を寄付することが可能である。
【００４１】
なお、上述した実施形態においては、商品販売者が任意の団体に寄付される寄付金額を決定するステップが１回行われた場合について説明したが、これに限られず、商品販売者により寄付金額の額が複数回変更・決定されてもよい。
【００４２】
また、上述した実施形態においては、購入者が寄付金が寄付される団体に関する情報を閲覧するステップを含んでいなかったが、寄付金が寄付される団体に関する情報を閲覧するステップを含むように構成されてもよい。そのときには、寄付対象団体データベース部３６のデータが閲覧されたり、寄付対象団体データベース部３６に記憶されているＵＲＬ等を利用して各団体のホームページを閲覧することにより行われる。また、その場合には寄付実績の大小に基づいて寄付金が寄付される団体をランキング表示するように構成してもよい。
【００４３】
次に、この発明の実施の形態であるチャリティを通じてＮＰＯ等を支援することができる、ショッピングおよびオークションのネットワークを利用した商品購入の方法について説明する。
図５は、本発明にかかるネットワークを利用した商品購入の方法が適用されたショッピングシステムを示す図解図である。
図６は、この発明にかかるネットワークを利用した商品購入の方法が適用された商品登録から決済までのフローの概要図である。
ショッピングシステム１１０は、ショッピングシステム運営者のもとにあるショッピングモールサーバ１２０と、商品販売者のもとにある商品販売者端末５００と、ＮＰＯ団体端末６００と、商品購入者のもとにある購入者端末７００と、支払処理機関サーバ８１０と金融機関端末８２０とを有する決済システム８００と、ネットワーク１００とを備えている。
【００４４】
ショッピングモールサーバ１２０は、購入者端末７００，商品販売者端末５００、ＮＰＯ団体端末６００および決済システム８００と各種のデータをやり取りすることで商品の販売および任意の団体に寄付される寄付金の管理を行う機能を有する。
図７は、ショッピングモールサーバ１２０を示す機能ブロック図であり、図８は、データベースサーバ１４０の機能を示す機能ブロック図である。
ショッピングモールサーバ１２０は、データベースサーバ１４０、ＷＷＷサーバ１６０および電子メール送受信部１８０を備える。
そして、データベースサーバ１４０は、ショッピングシステム１１０を管理するための運用管理部１４１と、モール管理部１４２と、店舗情報管理部１４３と、会員管理部１４４と、ＮＰＯ管理部１４５と、ショッピングによる注文管理部１４６と、オークションによる注文管理部１４７と、メール管理部１４８と、寄付状況管理部１４９と、預り金管理部１５０と、購入管理部１５１とを備える。
【００４５】
また、ショッピングモールサーバ１２０は、各種情報を管理するためのデータベース、例えば、運用管理データベース部２２０、商品データベース部２４０、落札データベース部２６０、注文データベース部２８０、会員データベース部３００、商品販売者データベース部３１０、決済情報データベース部３２０、寄付状況データベース部３４０、寄付対象団体データベース部３６０、預り金データベース部３８０、メールデータデータベース部４００および購入データベース部４２０を有し、データベースサーバ１４０によって記録され管理されている。
【００４６】
運用管理手段たる運用管理部１４１は、図６において示すように、ショッピングモールサーバ１２０等を備えてサービスを提供するショッピングシステム運営者におけるショッピングシステムの運用管理者に付与するＩＤ、権限種別、パスワードを登録、変更、削除する機能を有し、ＩＤを運用管理データベース部２２０に記録し管理する。
なお、運用管理者は、付与された管理者のＩＤとパスワードとを入力し、ログインボタンを押すことによりマスターと店舗情報管理部１４３とＮＰＯ管理部１４５とに、権限種別に応じた管理者権限でログインすることができるように構成されている。
【００４７】
モール管理手段たるモール管理部１４２は、商品販売者（店舗）および商品等の分類管理をする機能を有する。
そして、モール管理部１４２において、図９に示すように、大分類、小分類の登録、削除、変更を行う機能を有する。例えば、商品販売者（店舗）および商品の大分類として、「パソコン・モバイル」「ゲーム・ソフト」といった分類分けをするとともに、その大分類に属する小分類、例えば、大分類「パソコン・モバイル」に対しては、「パソコン・コンピュータ」「周辺機器パーツ」「ソフトウェア」「モバイル・携帯電話」「通信・サービス」「オフィス・サプライ」といった小分類に分類分けし、商品データベース部２４０および商品販売者データベース部３１０において記録し管理する。
そして、図１０に示すように、各小分類に属する商品に対応して、ショッピングモールサーバ１２０等を備えてサービスを提供するサービス提供者の運営費用を各取引に割り振るために、ネット運営費率、例えば、登録された商品の価格の５％〜２０％の額というようなネット運営費率の値を商品データベース部２４０で記録し管理するように機能する。なお、ネット運営費率は、小分類の各商品毎に１％きざみで確定されている。
このモール管理部１４２は、商品販売者（店舗）および商品等の検索機能を有する。
【００４８】
店舗情報管理手段たる店舗情報管理部１４３は、図１１および図２０〜図２５に示すように、店舗に関する情報の管理および販売する商品の情報の管理をする機能を有する。
店舗に関する情報の管理としては、例えば、店舗名、店舗ＩＤ、パスワード、店舗分類、電話番号、ファックス番号、所在地、代表者名、担当部署名、担当者名、担当者メールアドレス、ＵＲＬ、検索用キーワード、各店舗を紹介する紹介文、問い合わせ先メールアドレス、営業休業設定等の項目を、登録、変更、削除することにより管理する機能を有し、これらの情報は、商品販売者データベース部３１０において記録し管理される。
さらに、店舗情報管理部１４３は、図２６において示すように、販売する商品の情報の管理として、販売する商品を、ショッピング商品を「Ｓ」とし、オークション商品を「Ａ」として出品区分分けをし、ショッピング商品およびオークション商品の情報管理をする機能を有する。
すなわち、ショッピング商品の場合は、出品区分、商品コード、商品名、フリガナ、商品分類、検索のためのキーワード、商品の説明文、仕様／内容説明、価格、送料、寄付率が、オークション商品の場合は、出品区分、商品コード、商品名、フリガナ、商品分類、検索のためのキーワード、商品の説明文、仕様／内容説明、価格、送料、寄付率に加えて、入札開始価格、入札レート、オークション期間（開始日および終了日）が、商品情報として管理される。
そして、店舗情報管理部１４３は、店舗および商品に関するデータを検索する機能を有する。
【００４９】
会員管理手段たる会員管理部１４４は、図１２に示すように、購入者たる会員の情報の管理、例えば、氏名、フリガナ、ニックネーム、会員ＩＤ、パスワード、性別、生年月日、電話番号、ファックス番号、郵便番号、住所、メールアドレス、ＵＲＬ，職業、既婚／未婚、子供の数、年収、興味のあるカテゴリ、ＤＭの送付の可否等の項目の登録、変更、削除をして管理する機能を有し、会員データベース部３００において記録し管理する。会員データベース部３００のデータは、購入者により購入者端末７００によってＷＷＷサーバ１６０により提供された会員登録情報のための画面（インターフェース）から入力されたデータが記録されたり、変更されたりすることにより記録される。
この会員管理部１４４は、会員に関するデータを検索する機能を有する。
【００５０】
寄付対象団体管理手段たるＮＰＯ管理部１４５は、図１３に示すように、寄付先団体たるＮＰＯ（Ｎｏｎｐｒｏｆｉｔ  Ｏｒｇａｎｉｚａｔｉｏｎ，非営利組織）の新規登録、登録済みのＮＰＯ情報の変更、削除をして、ＮＰＯの管理をし、寄付対象団体データベース部３６０において記録し管理する。
ＮＰＯ情報としては、団体名、フリガナ、ＮＰＯＩＤ、パスワード、ＮＰＯ分類、電話番号、ファックス番号、所在地、代表者名、担当部署名、担当者名、担当者メールアドレス、ＵＲＬ、ＮＰＯの内容を示すＮＰＯ案内文、問い合わせ先メールアドレス、寄付の受付の可否等の情報を含む。
このＮＰＯ管理部１４５は、ＮＰＯに関するデータを検索する機能を有する。
【００５１】
注文管理手段たる注文管理部は、ショッピングによる注文管理部１４６とオークションによる注文管理部１４７とを備え、購入者たる会員より注文された商品の注文管理をする機能を有する。
ショッピングによる注文管理手段たるショッピングによる注文管理部１４６は、図１５に示すように、会員より注文された商品の情報の管理、例えば、注文ナンバー、注文年月日、出品区分、店舗ＩＤ、購入者ＩＤ、購入者氏名、購入金額等を登録し、また、登録された情報を検索、表示する機能を有し、注文データベース部２８０において記録し管理する。注文商品の詳細情報としては、例えば、図１５に示すように、注文情報（注文ナンバー、注文日、店舗ＩＤ、店舗名、出品区分、寄付先ＮＰＯ）、注文者（会員ＩＤ、注文者氏名、氏名フリガナ、郵便番号、住所、メールアドレス、電話番号、ファックス番号）、注文状況（受付）、配達先、注文商品（商品ＩＤ、商品名、個数、単価、寄付額、送料、合計金額、合計寄付額、商品に対する要望）等の情報を有する。
このショッピングによる注文管理部１４６は、ショッピングによる注文に関するデータを検索する機能を有する。
【００５２】
オークションによる注文管理手段たるオークションによる注文管理部１４７は、図１６に示すように、前記した注文管理部１４６と同様に、オークションによる注文情報、オークションによる注文者、オークションによる注文状況、配達先、オークションによる注文商品等の注文管理をするとともに、オークションの落札管理をする機能を有し、落札データベース部２６０において記録し管理する。
オークションの落札管理としては、店舗名、オークション終了日、商品ＩＤ、商品名、各商品に対する入札数、入札レート、入札開始価格、落札者ＩＤ、落札価格を管理し、入札期間および入札データに基づいて落札者を決定する機能を有する。
このオークションによる注文管理部１４７は、オークションによる注文に関するデータを検索する機能を有する。
【００５３】
メール管理手段たるメール管理部１４８は、図１７に示すように、例えば、電子メールの発送先・電子メールの内容の決定、電子メール発送先会員の検索、電子メール発送作業の完了、会員向け電子メール内容作成等の会員、商品販売者およびＮＰＯ団体向けメールの管理を行う機能を有し、メールデータデータベース部４００において、メールに関する情報を記録し管理する。
このメール管理部１４８は、メールに関するデータを検索する機能を有する。
メールの発送先の検索は、例えば、性別、生年月日、住所、職業、既婚／未婚、子供の数、年収、合計ポイント数、興味あるカテゴリ、ＤＭ送付の可否の項目のうち、入力された項目によって検索することができるように構成されている。
そして、このメール管理部１４８によって導き出された会員向けメールは、電子メール送受信部１８０によって会員に送信されることになる。
【００５４】
寄付状況管理手段たる寄付状況管理部１４９は、図１４に示すように、ＮＰＯへの寄付金の支払い処理に関する情報、例えば、ＮＰＯ団体毎に、当月の寄付額、支払い未処理累計、支払い処理累計を管理する機能を有し、寄付状況データベース部３４０において記録し管理する。
当月寄付額では、今月現在までにプールされた金額が表示される。前月以前の累計と今月寄付額の合計額が支払未処理累計欄に表示される。支払処理欄に、ＮＰＯへの支払処理額を入力し、「実行」ボタンを押すと、支払未処理累計欄が、次の計算式によって再計算される。
支払未処理累計＝支払未処理累計−支払処理
この寄付状況管理部１４９は、寄付に関するデータを検索する機能を有する。
【００５５】
預り金管理手段たる預り金管理部１５０は、ショッピングによる注文管理部１４６およびオークションによる注文管理部１４７によって管理されている落札データベース部２６０および注文データベース部２８０の情報を受け取り、寄付金を預り金（寄付者たる商品購入者より寄付金を受け入れ、後日、商品購入者に代わって第三者たるＮＰＯ団体等の寄付対象団体に、その寄付金を渡すための債務）として処理をするために、寄付対象団体名、ＩＤ、各月の寄付額、未処理累計額等の情報を預り金データベース部３８０に記録し管理する。
この預り金管理部１５０は、預り金に関するデータを検索する機能を有する。
【００５６】
購入管理手段たる購入管理部１５１は、ショッピングによる注文管理部１４６およびオークションによる注文管理部１４７によって管理されている落札データベース部２６０および注文データベース部２８０の情報を受け取り、各会員の注文ナンバー、注文年月日、購入店舗名、合計金額（税込、送料込）、寄付額、寄付先ＮＰＯ、注文状況、注文された商品に関する情報（商品名、商品ＩＤ、個数、単価（税込）、寄付額、送料（税別）、金額（税込、送料込）、合計寄付額）およびポイントを、購入データベース部４２０に記録し管理する（図４３参照）。
ポイントは、例えば、寄付額１円に対し１ポイントとして、各会員毎にポイントを蓄積し、蓄積されたポイントに応じて、各会員に対し、ギフト（商品等）をするためのものである。
この購入管理部１５１は、各会員の商品購入に関するデータを検索する機能を有する。
【００５７】
ＷＷＷサーバ１６０は、ＨＴＴＰプロトコルに基づいて、購入者端末７００、商品販売者端末５００およびＮＰＯ団体端末６００に、各種画面を生成し、フォーム等各種のデータを配信する機能を有する。なお、具体的に配信されるデータとしては、後に詳述する商品データベース部２４０に記録された販売商品に関する内容を表示するデータ、オークション商品に関する内容を表示するデータ、購入申込みデータを入力する画面を表示するデータ、入札データを入力する画面を表示するデータ、購入者端末７００、商品販売者端末５００およびＮＰＯ団体端末６００により入力されたデータを確認する表示を行うデータなどのデータの閲覧および入力のために用いられる様々な画面およびそのデータが送信される。
【００５８】
電子メール送受信手段たる電子メール送受信部１８０は、ＳＭＴＰプロトコルおよびＰＯＰ３プロトコルに基づいて電子メールの送受信を行う機能を有する。なお、具体的に送信または受信される電子メールとしては、商品販売者および寄付対象団体とサービス提供者との契約内容を知らせる電子メールや会員に対するＮＰＯの情報（サンクスメール等）などが送信される。
【００５９】
次に、ショッピングシステム１１０の情報を記録するデータベースについて説明する。
商品データベース部２４０は、ショッピングモールサーバ１２０において販売またはオークションされる商品の商品内容のデータの他に、商品がショッピング販売の場合には販売価格に含まれる寄付金が寄付される団体に寄付される寄付金額のデータが記憶されており、商品がオークション販売の場合には、寄付金が寄付される団体に寄付される落札価格に対する寄付金額の割合を示すデータが記憶されている。
商品データベース部２４０においては、商品コード、商品名、フリガナ、商品分類、検索のためのキーワード、商品の説明文、仕様／内容説明、価格、送料、寄付率、ネット運営費率が記録されている。さらに、オークション商品の場合には、それらのデータに加えて、入札開始価格、入札レート、オークション期間（開始日および終了日）が記録されている。
なお、商品データベース部２４０は、適宜商品販売者により商品販売者端末５００によってＷＷＷサーバ１６０を介して提供される商品データが、店舗情報管理部１４３によって記録され管理されている。
【００６０】
落札データベース部２６０は、オークション販売において商品が落札された価格、落札者の氏名や住所等の個人情報および支払い方法などのデータが記憶されているが、オークションによる注文管理部１４７によって記録され管理されている。また、落札データベース部２６０は入札者から入札された入札データを記憶・管理する機能も有する。
記録される落札情報としては、例えば、注文情報（注文ナンバー、注文日、店舗ＩＤ、店舗名、出品区分、寄付先ＮＰＯ）、注文者（会員ＩＤ、注文者氏名、氏名フリガナ、郵便番号、住所、メールアドレス、電話番号、ファックス番号）、配達先（氏名、フリガナ、住所、電話番号、メールアドレス）、注文状況（受付）、注文商品情報（商品ＩＤ、商品名、個数、単価、寄付額、送料、金額、合計寄付額）のほか、オークション特有の情報（店舗名、終了日、商品ＩＤ、商品名、入札数、入札レート、入札開始価格、落札者ＩＤ、落札価格）がある。
【００６１】
注文データベース部２８０は、ショッピング販売において注文された商品の情報、購入者の氏名や住所等の個人情報および支払方法等のデータが記録されているが、ショッピングによる注文管理部１４６によって記録され管理されている。この情報は、ＷＷＷサーバ１６０により提供された購入申込みデータを入力する画面（インターフェース）から入力された購入申込みデータが記憶されている。
注文データベース部２８０に記憶されている購入申込みデータは、商品販売者が使用する商品販売者端末５００により内容が閲覧され、商品販売者が注文内容を確認するために用いられる。
注文情報としては、注文情報（注文ナンバー、注文日、店舗ＩＤ、店舗名、出品区分、寄付先ＮＰＯ）、注文者（会員ＩＤ、注文者氏名、氏名フリガナ、郵便番号、住所、メールアドレス、電話番号、ファックス番号）、配達先（氏名、フリガナ、住所、電話番号、メールアドレス）、注文状況（受付）、注文商品情報（商品ＩＤ、商品名、個数、単価、寄付額、送料、金額、合計寄付額）がある。
【００６２】
会員データベース部３００は、ショッピングモールサーバ１２０に会員として登録している購入者の氏名または名称、住所、ホームページのＵＲＬ、電子メールアドレス連絡先などの各々の会員特有の情報をデータとして記憶されているが、会員管理部１４４によって記録され管理されている。
会員データベース部３００のデータは、購入者が購入者端末７００によってＷＷＷサーバ１６０により提供された会員登録情報のための画面から入力されたデータが記憶されたり、ショッピングモールサーバ１２０の管理者により入力される。
会員情報としては、氏名、フリガナ、ニックネーム、会員ＩＤ、パスワード、性別、生年月日、電話番号、ファックス番号、住所、会員メールアドレス、個人のホームページＵＲＬ，職業、既婚／未婚、子供の数、年収、興味あるカテゴリ、ＤＭの送付の可否がある。
【００６３】
商品販売者データベース部３１０は、ショッピングモールサーバ１２０に商品販売者として登録している商品販売者の氏名または名称、住所、ホームページのＵＲＬ、電子メールアドレス連絡先などの各々の商品販売者特有の情報をデータとして記憶されているが、店舗情報管理部１４３によって記録され管理されている。
商品販売者データベース部３１０のデータは、商品販売者がＷＷＷサーバ１６０により商品販売者端末５００に提供された商品販売者登録情報のための画面から入力されたデータが記憶されたり、ショッピングモールサーバ１２０の管理者により入力される。
商品販売者情報としては、店舗名、フリガナ、店舗ＩＤ、パスワード、店舗分類、電話番号、ファックス番号、所在地、代表者名、担当部署名、担当者名、担当者メールアドレス、ＵＲＬ、検索用キーワード、店舗を紹介する紹介文、問い合わせ先メールアドレス、営業休業設定がある。
【００６４】
決済情報データベース部３２０は、決済システム８００、例えば支払処理機関サーバ８１０より受信した商品のショッピング販売およびオークション販売により生じた購入者の支払い処理に関するデータを記憶されているが、購入管理部１５１によって記録され管理されている。
記憶されているデータを具体的に説明すると、購入者の支払い処理状況を示すデータ（購入者氏名、購入者ナンバー、注文ナンバー、購入日時、支払日、決済の有無等）が記憶されており、商品販売者が使用する商品販売者端末５００により内容が閲覧され商品販売者が支払い状況の確認するために用いられる。なお、商品販売者が支払い状況の確認する場合には、予め各商品販売者に付与されたＩＤおよびパスワードを用いて商品販売者の認証を行い、認証された商品販売者と関係のないデータは閲覧されないように構成されている。
なお、購入者の支払い処理状況を示すデータは、決済システム８００から、例えば、支払処理機関サーバ８１０からのデータを受信して、記録し管理されるようにしてもよい。
【００６５】
寄付状況データベース部３４０は、購入者により商品購入が行われたり、商品販売者により商品販売が行われたりすることで生じた寄付金の額や、実際に寄付を行った状態などが記憶されているが、ショッピングによる注文管理部１４６、オークションによる注文管理部１４７およびＮＰＯ管理部１４５により記録され管理されている。寄付状況データベース部３４０に記憶されているデータは、購入者がショッピングモールサーバ１２０に接続中に購入者端末７００の画面上に表示されるか、任意の確認画面により表示されることにより購入者および商品販売者に提供される。
【００６６】
寄付対象団体データベース部３６０は、寄付金が寄付される団体に関する様々なデータが記憶されているが、ＮＰＯ管理部１４５により記録され管理されている。記憶されているデータとしては、団体の活動内容を説明したテキストデータや写真データ等の他、団体がインターネットのホームページを有しているときには、そのＵＲＬ等も記憶されている。
寄付対象団体情報としては、ＮＰＯ団体名、フリガナ、ＮＰＯＩＤ、パスワード、ＮＰＯ分類、電話番号、ファックス番号、所在地、代表者名、担当部署名、担当者名、担当者メールアドレス、ＵＲＬ、ＮＰＯ案内文、サンクスメッセージ、問い合わせ先メールアドレス、寄付の受付の可否がある。
【００６７】
預り金データベース部３８０は、寄付金を預り金（寄付者たる商品購入者より寄付金を留保金として受け入れ、後日、商品購入者に代わって第三者たるＮＰＯ団体等の寄付対象団体に、その寄付金を渡すための債務）として処理をするために、寄付対象団体名、ＩＤ、各月の寄付額、未処理累計額等の情報を記録し、預り金管理部１５０により記録され管理されている。
【００６８】
メールデータデータベース部４００は、メール管理部１４８によって管理されているメールに関するデータ、例えば、メールの発送先・メールの内容の決定、メール発送先会員の検索、メール発送作業の完了、会員向けメール内容作成を記録しているが、メール管理部１４８により記録され管理されている。
【００６９】
購入データベース部４２０は、各会員の注文ナンバー、注文年月日、購入店舗名、合計金額（税込、送料込）、寄付額、寄付先ＮＰＯ、注文状況、注文された商品に関する情報（商品名、商品ＩＤ、個数、単価（税込）、寄付額、送料（税別）、金額（税込、送料込）、合計寄付額）およびポイントを記録し（図４３参）、購入管理部１５１によって管理されている。
【００７０】
商品販売者端末５００は、任意のメールサーバ（図示せず）とＳＭＴＰプロトコルおよびＰＯＰ３プロトコルに基づいて電子メールの送受信を行う機能を有する。なお、商品販売者端末５００としては、インターネットなどのネットワーク１００に接続可能な通信機器を有し、ＷＷＷブラウザアプリケーションおよびメールクライアントアプリケーションがインストールされたワークステーションやパーソナルコンピュータが使用される。
商品販売者（店舗）登録を行うには、図１８に示すように、登録業務を行う。
例えば、電子メールにより、ショッピングシステム運営者に対し、商品販売希望者の商品販売者端末５００より、出店の問い合わせがあれば、ショッピングモールサーバ１２０より出店申込書を電子メールで送信し、商品販売希望者は、商品販売者端末５００によって、出店申込書に入力し、ショッピングモールサーバ１２０に送信する。すると、ショッピングシステム運営者は、所定の審査をして出店の可否を決定し、出店を希望する商品販売希望者に出店契約書を送信し、出店契約を締結する。そして、契約した商品販売者について、決済システム８００の支払処理機関サーバ８１０用のＩＤ・パスワードを取得して、ショッピングモールサーバ１２０において記録管理をするとともに、ショッピングモールサーバ１２０用のＩＤ・パスワードを登録し、更に、支払処理機関サーバ８１０用のＩＤ・パスワードとショッピングモールサーバ１２０用のＩＤ・パスワードとを、商品販売者端末５００に送信するとともに、ショッピングモールサーバ１２０の店舗情報管理部１４３により記録し管理する。
【００７１】
商品販売者端末５００は、購入者端末７００と同様に、インターネットなどのネットワーク１００を介してショッピングモールサーバ１２０と接続し、ショッピングモールサーバ１２０にショッピング商品やオークション商品の商品内容のデータを登録したり、注文内容の確認、支払い状況の確認、商品の配送状況の入力をする機能を有する。
なお、商品販売者端末５００に対しても、ショッピングモールサーバ１２０よりコンピュータソフトウェアおよび／または入力画面が送信されることにより、認証手段５０１、店舗情報管理手段５０２、商品情報管理手段５０３、オークションによる商品情報管理手段５０４、ショッピング注文管理手段５０５、オークションによる落札管理手段５０６が提供される。特に、商品情報管理手段５０３およびオークションによる注文管理手段５０５は、ショッピングモールサーバ１２０の店舗情報管理部１４３により提供される機能である。
【００７２】
この実施の形態においては、この商品販売者端末５００が、ショッピングモールサーバ１２０と接続され、ショッピングモールサーバ１２０のＷＷＷサーバ１６０によって送られてくる画面に対応して入力することにより、認証画面により認証手段５０１として、店舗情報管理画面（図１９図示）により店舗情報管理手段５０２として、ショッピング商品情報管理画面（図２０，図２１および図２２図示）により商品情報管理手段５０３として、オークション商品情報管理画面（図２３図示）によりオークションによる商品情報管理手段５０４として、ショッピング注文管理画面（図２４図示）によりショッピング注文管理手段５０５として、オークション落札管理画面（図２７図示）によりオークション落札管理手段５０６として、それぞれ各機能を果たすように構成されている。
【００７３】
店舗管理者は、ショッピングモールサーバ１２０よりＷＷＷサーバ１６０によって商品販売者端末５００に送られた管理者認証画面（図示せず）に対応し、管理者のＩＤとパスワードを入力し、ログインボタンを押すと、権限種別に基づいて店舗管理者権限でログインすることができる。
【００７４】
店舗情報を新規登録する場合には、ショッピングモールサーバ１２０の店舗情報管理部１４３によってＷＷＷサーバ１６０により送られ表示された店舗情報管理画面（図１９図示）に、店舗名、フリガナ、店舗ＩＤ、パスワード、店舗分類、電話番号、ファックス番号、所在地、代表者名、担当部署名、担当者名、担当者メールアドレス、ＵＲＬ、検索用キーワード、店舗を紹介する紹介文、問い合わせ先メールアドレス、営業休業設定（「営業休業設定」を“営業中”にすることで店舗と商品を会員に公開することになる）を入力することができる。また、すでに登録された情報の変更をすることができる。
そして、これらの情報は、商品販売者データベース部３１０に記録し、管理されている。
【００７５】
商品情報管理は、ショッピングモールサーバ１２０の店舗情報管理部１４３によりＷＷＷサーバ１６０によって送られた商品情報管理画面（図２０図示）において行われるが、「ショッピング商品登録」か「オークション商品登録」かを選択することができるように構成され、それぞれに対応して商品情報管理ができるように構成されている。
そして、既に登録された商品を変更、削除する場合は、商品情報管理画面（図２０図示）により、商品コード、大分類、出品区分、商品名の項目を入力することによって、検索ができるように構成されている。
【００７６】
ショッピング商品の新規登録をする場合、ショッピングモールサーバ１２０の店舗情報管理部１４３よりＷＷＷサーバ１６０によって送られた商品情報管理画面（図２０図示）において、「ショッピング商品登録」を選択する。
そして、図２１に示すように、登録商品の大分類（「パソコン・モバイル」「ゲーム・ソフト」等）を選択し、次にその大分類に属する小分類の商品、例えば、大分類「パソコン・モバイル」に対しては、「パソコン・コンピュータ」「周辺機器パーツ」「ソフトウェア」「モバイル・携帯電話」「通信・サービス」「オフィス・サプライ」を選択し、次に、商品情報登録画面（図２２図示）に進む。
そして、商品情報の登録は、ショッピングモールサーバ１２０の店舗情報管理部１４３により、ＷＷＷサーバ１６０によって送られた商品情報登録画面（図２２図示）において行われるが、商品コード、商品名、フリガナ、商品分類、検索のためのキーワード、商品の説明文、仕様／内容説明、価格、送料、サムネイル画像、商品画像、寄付率を入力し、管理される。そして、これらの情報は、ショッピングモールサーバ１２０の商品データベース部２４０において記録し、店舗情報管理部１４３により管理される。
【００７７】
オークション商品の新規登録をする場合、ショッピングモールサーバ１２０の店舗情報管理部１４３により、ＷＷＷサーバ１６０によって送られた商品情報管理画面（図２０図示）において、「オークション商品登録」を選択すれば、オークション商品の新規登録画面に移る。
オークション商品の新規登録は、ショッピングモールサーバ１２０の店舗情報管理部１４３により、ＷＷＷサーバ１６０によって送られたオークション商品の新規登録画面（図２３図示）において、商品分類の選択、商品情報の登録および登録確認をすることについては、ショッピング商品登録の新規登録と同じであるが、オークション商品の新規登録画面（図２３図示）において、商品コード、商品名、商品分類、検索のためのキーワード、商品の説明文、使用／内容説明、サムネイル画像、商品画像、入札開始価格、入札レート、送料、オークション期間（開始日および終了日）、寄付率が入力される。
そして、これらの情報は、ショッピングモールサーバ１２０の商品データベース部２４０において記録し、店舗情報管理部１４３により管理される。
【００７８】
ショッピング商品およびオークション商品について商品登録された商品の確認は、ショッピングモールサーバ１２０のショッピングによる注文管理部１４６により、ＷＷＷサーバ１６０によって送信されたショッピング商品情報確認画面（図２４図示）またはオークション商品確認画面（図２５図示）によりなされる。
【００７９】
また、注文された商品の情報を検索するときは、ショッピングモールサーバ１２０のショッピングによる注文管理部１４６により、ＷＷＷサーバ１６０により送信され表示された、注文された商品の情報を検索する注文管理画面（図２６図示）において、注文ナンバー、注文年月日を入力することにより、注文ナンバー、注文年月日、出品区分、店舗ＩＤ、店舗名、購入者ＩＤ、購入者氏名、合計金額を示した注文のリストを得ることができる。
各注文商品の詳細情報としては、図１５に示すように、注文情報（注文ナンバー、注文日、店舗ＩＤ、店舗名、出品区分、寄付先ＮＰＯ）、注文者（会員ＩＤ、注文者氏名、氏名フリガナ、郵便番号、住所、メールアドレス、電話番号、ファックス番号）、配達先（氏名、フリガナ、住所、電話番号、メールアドレス）、注文状況（受付）、注文商品情報（商品ＩＤ、商品名、個数、単価、寄付額、送料、金額、合計寄付額）が表示される。出品区分としては、「ショッピング」が表示される。
これら注文商品の情報は、ショッピングモールサーバ１２０の注文データベース部２８０において記録し、ショッピングによる注文管理部１４６により管理されている。
【００８０】
また、オークション注文管理情報としては、図１６に示すように、前記した注文情報、注文者、配達先、注文状況、注文商品情報が表示されるほか、出品区分として「オークション」が表示される。
オークションの落札状況の検索は、オークション終了日を入力することによって、オークションの落札一覧（図２７図示）を得ることができる。落札情報としては、店舗名、終了日、商品ＩＤ、商品名、入札数、入札レート、入札開始価格、落札者ＩＤ、落札価格が表示される。
そして、これら落札情報は、ショッピングモールサーバ１２０の落札データベース部２６０において記録し、オークションによる注文管理部１４７により管理されている。
【００８１】
ＮＰＯ団体端末６００は、任意のメールサーバ（図示せず）とＳＭＴＰプロトコルおよびＰＯＰ３プロトコルに基づいて電子メールの送受信を行う機能を有する。なお、ＮＰＯ団体端末６００としては、インターネットなどのネットワーク１００に接続可能な通信機器を有し、ＷＷＷブラウザアプリケーションおよびメールクライアントアプリケーションがインストールされたワークステーションやパーソナルコンピュータが使用される。
寄付対象団体たるＮＰＯ団体における登録は、図２８に示すようになされる。
例えば、ＮＰＯ団体より、登録の問い合わせがあれば、ショッピングシステム運営者は、ショッピングモールサーバ１２０によりＮＰＯ団体端末６００に登録申込書を送信し、ＮＰＯ団体においては、受信した登録申込書に所定事項を入力し、ショッピングモールサーバ１２０に送信する。すると、ショッピングシステム運営者は、加入の可否・寄付受取可否の審査をして、可能であれば、ＮＰＯ団体に契約書を送信して、ＮＰＯ団体と契約を締結する。そして、ショッピングモールサーバ１２０において、契約をしたＮＰＯ団体用のＩＤ・パスワードを登録し、ＮＰＯ団体端末６００にそのＩＤ・パスワードを送信し、そのＩＤ・パスワードをショッピングモールサーバ１２０のＮＰＯ管理部１４５によって記録し管理する。
【００８２】
寄付対象者端末たるＮＰＯ団体端末６００は、購入者端末７００と同様に、インターネット等のネットワーク１００を介してショッピングモールサーバ１２０と接続し、ショッピングモールサーバ１２０にＮＰＯ情報（ＮＰＯ団体名、ＮＰＯＩＤ、ＮＰＯ分類、ＮＰＯ案内文、寄付の受付の可否等）の新規登録、登録内容の変更、受取寄付管理をする機能を有する。
ＮＰＯ情報の中で、例えば、寄付の受付の可否は、ショッピングモールサーバ１２０のＮＰＯ管理部１４５でのみ、登録、変更、削除をすることができるようにしてもよい。
【００８３】
ＮＰＯ団体端末６００は、インターネットなどのネットワーク１００を介してショッピングモールサーバ１２０と接続し、ショッピングモールサーバ１２０よりコンピュータソフトウェアおよび／または認証画面、情報管理画面（図２９図示）および受取寄付管理画面が送信されることにより、ＮＰＯ管理者の認証機能手段６０１、ＮＰＯ団体情報管理手段６０２、受取寄付管理手段６０３が提供される。この実施の形態においては、このＮＰＯ団体端末６００がショッピングモールサーバ１２０のＷＷＷサーバ１６０によって送られてくる画面に対応して入力をすることにより、認証画面により認証手段６０１として、情報管理画面によりＮＰＯ団体情報管理手段６０２として、受取寄付管理画面により受取寄付管理手段６０３として、それぞれ各機能を果たすように構成されている。
ＮＰＯ管理は、ショッピングモールサーバ１２０のＮＰＯ管理部１４５において管理されており、ＮＰＯ管理者のＩＤとパスワードを入力し、ログインボタンを押すと、ＮＰＯ管理者権限でログインすることができる。
ＮＰＯの情報管理として、ＮＰＯ団体端末６００において新規登録する場合には、図２９において示すように、団体名、フリガナ、ＮＰＯＩＤ、パスワード、ＮＰＯ分類、電話番号、ファックス番号、所在地、代表者名、担当部署名、担当者名、担当者メールアドレス、ＵＲＬ、ＮＰＯ案内文、サンクスメッセージ、問い合わせ先メールアドレス、寄付の受付の可否を入力することにより管理する。また、その変更を行い管理することができる。
ＮＰＯ情報の中で、例えば、寄付の受付の可否は、ショッピングモールサーバ１２０のＮＰＯ管理部１４５でのみ、登録、変更、削除をすることができるようにしてもよい。
これらＮＰＯ情報は、ショッピングモールサーバ１２０の寄付対象団体データベース部３６０において記録し、ＮＰＯ管理部１４５において管理されている。
【００８４】
購入者端末７００より購入された商品に対応する寄付額の管理については、受取寄付管理手段６０３によりなされる。
ＮＰＯ受取寄付管理は、今月の寄付額と未処理累計により、当月の受取寄付額、モール管理側の未処理累計額の確認ができる。
これらの情報は、ショッピングモールサーバ１２０の寄付状況データベース部３４０、寄付対象団体データベース部３６０および預り金データベース部３８０において記録し、寄付状況管理部１４９により管理されている。
【００８５】
購入者端末７００は、ショッピングおよびオークションを希望する者のもとにあり、インターネットなどのネットワーク１００を介してショッピングモールサーバ１２０と接続し、ショッピングモールサーバ１２０に登録された商品の内容を閲覧し、購入申込み時に入力する購入者の氏名，住所や支払い方法等の購入申込みデータやオークション入札時に入力する入札情報を入力する機能を有する。なお、購入者端末７００は、前記購入者端末１２と同様な構成を有する。
【００８６】
このショッピングシステムの会員、すなわち消費者となる会員登録は、購入者端末７００に対し、ショッピングモールサーバ１２の会員管理部１４４によりＷＷＷサーバ１６０によって送信される会員登録画面をもって入力し登録する。
会員登録画面においては、必須入力項目として、氏名、フリガナ、ニックネーム、会員ＩＤ、パスワード、性別、生年月日、電話番号、ファックス番号、住所、会員メールアドレスを入力し、任意入力項目として、個人のホームページＵＲＬ，職業、既婚／未婚、子供の数、年収、興味あるカテゴリ、ＤＭの送付の可否を入力する。
会員登録に先立ち、会員登録希望者は、ショッピング会員としての利用規約を読み、利用規約に同意のうえ登録するかしないかを、チェックボタンによって選択し、「同意のうえ登録する」のボタンを押すと、登録が完了する。
これらにより入力された情報は、ショッピングモールサーバ１２０の会員データベース部３００に記録され、会員管理部１４４によって管理されている。
【００８７】
引き続き、本発明に係るネットワークを利用した商品購入方法が適用されたショッピングシステムの動作について説明する。
図３０は、ショッピングの流れを（その１）を示したフロー図である。図３１は、ショッピングの流れ（その２）を示したフロー図である。図３２は、オークションの流れを示したフロー図である。
【００８８】
まず、各店舗を運営する企業より、ショッピングモールサーバ１２０のモール管理部１４２および店舗情報管理部１４３により、ＷＷＷサーバ１６０によって商品販売者端末５００に送信された画面によって、商品登録が行われた後、すなわち、ショッピングのための商品登録あるいはオークションのための商品登録が行われた後、商品の購入がなされることになる。
そして、購入者端末７００には、ショッピングモールサーバ１２０の会員管理部１４４によりＷＷＷサーバ１６０によってトップページ（図３３図示）が送信され、そのトップページにおいて、「ショッピング」ボタンあるいは「オークション」ボタンをチェックすることにより、ショッピングをするのかオークションをするのかを選択する（ステップＳ１０１）。
会員登録については、このトップページにおける「会員登録へ」ボタンをチェックすることにより、ショッピングモールサーバ１２０の会員管理部１４４により会員登録がなされる。いずれにしても、商品購入をショッピングあるいはオークションによって行うにあたり、会員登録がなされていることが条件となる。
また、このネットワークを利用した商品購入の方法によって商品を購入した場合において、寄付をすることができる団体の一覧を見たいときは、「チャリティ団体一覧」ボタンをチェックすると、ショッピングモールサーバ１２０のＮＰＯ管理部１４５によりＷＷＷサーバ１６０によって送信される、先に登録されているＮＰＯ団体の条件検索画面を介して、ＮＰＯ団体を見ることができる。
【００８９】
次に、ショッピングによって商品を購入する場合について説明する。
まず、購入者端末７００にショッピングモールサーバ１２０より送信されたトップページ（図３３図示）において、「ショッピング」ボタンをクリックすると、購入者端末７００にショッピング商品検索画面が送信され（ステップＳ１０２）、次の４つの検索の入口があることが示される。すなわち、商品キーワード検索（キーワードと寄付率、大分類からの複数検索でＡＮＤ検索をする）、店舗キーワード検索（キーワードと店舗分類からの複数検索でＡＮＤ検索をする）、商品カテゴリ検索（商品大分類から小分類へ絞り込みをする）、店舗カテゴリ検索（店舗分類から店舗への絞り込みをする）がある。
商品カテゴリには、例えば、「パソコン・モバイル」「フラワー・ガーデン」「ドリンク・アルコール類」「美容・健康・福祉」「ファッション」「車・スポーツ・アウトドア」「トラベル・チケット」「本・音楽・映像」「フード」「生活・インテリア」「ホビー・カルチャー」「サービス」がある。
店舗カテゴリにも、商品カテゴリと同様なものがある。
【００９０】
商品キーワード検索によってショッピングをする場合は、図３０に示すフローチャートに従って行われる。
まず、ショッピングモールサーバ１２０の店舗情報管理部１４３により、ＷＷＷサーバ１６０によって、検索項目入力画面が購入者端末７００に送信される。
そして、購入者端末７００に送信される画面において、検索項目の入力を行う。検索項目の入力としては、キーワード入力フォームに入力し、寄付率、商品分類をプルダウンメニューから指定し、「商品検索」ボタンを押す（ステップＳ１０３）。検索は、キーワード、寄付率、商品分類の複数検索（ＡＮＤ検索）ができる。また、キーワード、寄付率、商品分類のいずれも単独で検索が可能である。
ショッピングモールサーバ１２０の店舗情報管理部１４３により検索された検索結果は、ショッピングモールサーバ１２０よりＷＷＷサーバ１６０によって、購入者端末７００に送信される。
検索結果としては、例えば、商品名、価格、標準寄付率、店舗名が、検索商品一覧画面に表示される（ステップＳ１０４）。特に、検索項目に当てはまる商品が、デフォルトソートで寄付率順に表示される。
【００９１】
商品カテゴリ検索、すなわち、商品分類からの絞り込み検索によってショッピングをする場合は、ショッピングモールサーバ１２０の店舗情報管理部１４３により、ＷＷＷサーバ１６０によって検索項目入力画面が購入者端末７００に送信される。
そして、購入者端末７００に送信された画面において検索項目入力を行うが、まず、探したい商品の大分類名のハイパーリンクテキストをクリックする。
ショッピングモールサーバ１２０の店舗情報管理部１４３により検索された検索結果は、ショッピングモールサーバ１２０より、ＷＷＷサーバ１６０によって検索結果出力画面が、購入者端末７００に送信される。
その検索結果には、選んだ分類に属する小分類、例えば、大分類名として「パソコン・モバイル」を検索した場合、それに対応する小分類として、「パソコン・コンピュータ」「モバイル・携帯電話」「ソフトウェア」「周辺機器パーツ」「通信サービス」「オフィス・サプライ」が表示される。さらに、小分類名をクリックすると、その分類に属する商品が絞り込まれ表示される。
検索された商品としては、商品名、価格、標準寄付率、店舗名が、検索商品一覧画面に表示される。
【００９２】
また、店舗キーワード検索によってショッピングをする場合には、図３１に示すフロー図に従って行われる。
まず、ショッピングモールサーバ１２０の店舗情報管理部１４３により、ＷＷＷサーバ１６０によって、検索項目入力画面が購入者端末７００に送信される。  購入者端末７００において、プルダウンメニューの店舗分類を指定すると、キーワードと店舗分類とのＡＮＤ検索ができる（ステップＳ２０１）。
ショッピングモールサーバ１２０の店舗情報管理部１４３により検索された検索結果は、ＷＷＷサーバ１６０によって、検索項目に当てはまる店舗一覧が、店舗名五十音順に、検索店舗一覧画面に表示される。
店舗カテゴリ検索、すなわち、店舗分類からの絞り込み検索については、ショッピングモールサーバ１２０のＷＷＷサーバ１６０によって購入者端末７００に送信される検索項目入力画面において、探したい店舗の分類名のハイパーリンクテキストをクリックすることにより、ショッピングモールサーバ１２０の店舗情報管理部１４３により検索された結果、選んだ分類に属する店舗の一覧が、検索店舗一覧画面に表示される（ステップＳ２０２）。
ショッピングモールサーバ１２０の店舗情報管理部１４３により検索された検索結果は、ショッピングモールサーバ１２０のＷＷＷサーバ１６０により検索結果出力画面が購入者端末７００に送信される。
検索結果は、デフォルトソートで店舗名五十音順に表示される。
検索店舗一覧画面において、店舗名を入力すると（ステップＳ２０３）、店舗商品一覧画面が、ショッピングモールサーバ１２０の店舗情報管理部１４３により表示される（ステップＳ２０４）。
【００９３】
商品キーワード検索および商品カテゴリ検索によって表示される検索商品一覧画面において、商品名をクリック（ステップＳ１０５）すると、商品情報表示画面（図３４図示）が、ショッピングモールサーバ１２０の店舗情報管理部１４３によりＷＷＷサーバ１６０を介して、購入者端末７００に送信される（ステップＳ１０６）。
商品情報表示画面（図３４図示）においては、店舗名、商品名、商品ＩＤ、価格、送料、寄付額、寄付率が表示される。そして、商品の写真および商品の仕様／内容の説明が表示される。
また、店舗キーワード検索および店舗カテゴリ検索によって表示される店舗商品一覧画面において、商品名をクリック（ステップＳ２０５）すると、商品情報表示画面（図３４図示）が、ショッピングモールサーバ１２０の店舗情報管理部１４３によりＷＷＷサーバ１６０を介して、購入者端末７００に送信される（ステップＳ１０６）。
商品情報表示画面（図３４図示）においては、店舗名、商品名、商品ＩＤ、価格、送料、寄付額、寄付率が表示される（ステップＳ１０６）。そして、商品の写真および商品の仕様／内容の説明が表示される。
【００９４】
この商品情報表示画面（図３４図示）を読んだ購入者は、商品情報表示画面（図３４図示）の「買い物かごに入れる」ボタンをチェックすると、ＩＤ・パスワードの認証ダイアログボックスが購入者端末７００に送信される（ステップＳ１１０）。
購入者は、「買い物かごに入れる」ボタンを押すことによってオープンしたＩＤ・パスワードの認証ダイアログボックスに入力し（ステップＳ１１１）、「認証」ボタンを押す。会員登録をしていない者は、「新規会員登録」ボタンを押して、会員登録を行う。
【００９５】
このとき、ショッピングモールサーバ１２０においては、会員管理部１４４によって会員データベース部３００の内容と照会され、会員であることが認証できたなら、買い物かごの中身を見ることができる（ステップＳ１１２）。
前記した商品情報表示画面（図３４図示）において、「買い物かごを見る」ボタンをクリックする（ステップＳ１１３）と、認証済みの場合には、買い物かごの中身画面（図３５図示）が、ショッピングモールサーバ１２０のショッピングによる注文管理部１４６により、ＷＷＷサーバ１６０を介して、購入者端末７００に送信される（ステップＳ１１４）。
買い物かごの中身画面においては、店舗名、商品名、商品ＩＤ、個数、単価、寄付額、送料、合計金額、合計寄付額が表示される。
金額（送料込、税込）は、｛（単価−寄付額）×個数＋送料｝×１０５％＋合計寄付額で計算され、表示される。
【００９６】
この買い物かごの中身画面（図３５図示）において表示された商品の中で、購入しない商品があれば、削除のチェックボックスをチェックし、チェックされた商品について削除することが確定したら、「削除確定」ボタンを押す（ステップＳ１１５）。
さらに、買い物かごを空にする場合には、「買い物かごを空にする」ボタンをクリックする（ステップＳ１１６）。
「削除確定」ボタンを押した後は、チェックボックスにチェックした商品は削除され、削除した商品以外が再表示される。
そして、「買い物かごを空にする」ボタンを押した後は、買い物かごの中身画面は閉じられ、商品情報表示画面（図３４図示）に戻る（ステップＳ１１７）。
【００９７】
買い物かごの中身画面（図３５図示）において、「購入する」ボタンをクリックする（ステップＳ１１８）と、購入申込画面（図３６図示）が、ショッピングモールサーバ１２０のショッピングによる注文管理部１４６により、ＷＷＷサーバ１６０を介して、購入者端末７００に送信される（ステップＳ１１９）。
購入申込画面（図３６図示）においては、注文情報（氏名、フリガナ、メールアドレス、郵便番号、住所、電話番号、合計金額（税込）、寄付額合計）が表示される（ステップＳ１２０）。
購入者と受取人とが相違する場合には、配達先の必要事項を入力するように構成されている。すなわち、会員登録時の住所とは別の場所へ配達を希望する場合には、必要事項を入力する。
また、配達先を指定し、さらに、商品名、商品ＩＤ、個数、単価、寄付額、送料、合計金額、合計寄付額を確認することができたならば、「注文内容を確認のうえ、“次へ”」ボタンをクリックする（ステップＳ１２１）。
【００９８】
寄付先を指定するにあたり、寄付先ＮＰＯを選択する場合、ＮＰＯ活動内容から選択したいときには、ショッピングモールサーバ１２０のショッピングによる注文管理部１４６により、ＷＷＷサーバ１６０によって送信される購入申込画面（図３６図示）において、「参照」ボタンをクリックすると、ＮＰＯ選択画面（図３７図示）が、ショッピングモールサーバ１２０より購入者端末７００に送信される。
ＮＰＯ選択画面（図３７図示）においては、その活動カテゴリが表示される。活動カテゴリとしては、例えば、災害救助、社会教育、男女共同参画社会、産業振興、子供の健全育成、保険医療福祉、まちづくり、地域安全、国際協力、人権の擁護／平和の推進、環境、ＮＧＯ等がある。
活動カテゴリを選択すると、団体名と活動カテゴリが表示され、その中で寄付先として選択を希望する団体があれば、「寄付先登録」ボタンを押すならば、購入申込の寄付先として選択されることとなる。
【００９９】
次に、ショッピングモールサーバ１２０のショッピングによる注文管理部１４６によりＷＷＷサーバ１６０を介して送信された購入確認画面（図３８図示）において、注文内容および配達先の確認をし、間違いがなければ「注文内容確認のうえ、“購入”」ボタンを押して、決済システム８００での手続をする（ステップＳ１２２）。
【０１００】
次に、オークションによって商品を購入する場合について、主として、オークションの流れを示した図３２に基づいて説明する。
まず、ショッピングモールサーバ１２０の店舗情報管理部１４３により購入者端末７００に送信されたトップページ（図３３図示）において、「オークション」ボタンをクリックする（ステップＳ３０１）と、購入者端末７００に、ショッピングモールサーバ１２０の店舗情報管理部１４３によりＷＷＷサーバ１６０を介して、オークション商品検索画面（図３９図示）が送信され表示される（ステップＳ３０２）。
購入者端末７００に送信されたオークション商品検索画面（図３９図示）において、検索項目を入力する（ステップＳ３０２）。検索方法としては、「商品カテゴリ検索」と「キーワード検索」がある。
「キーワード検索」においては、検索項目入力画面（図３９図示）にキーワードを入力し、プルダウンメニューから分類を指定すると、キーワードと大分類でのＡＮＤ検索ができる。その項目の決定は、「商品検索」ボタンで行う（ステップＳ３０３）。
ショッピングモールサーバ１２０の店舗情報管理部１４３により検索された検索結果は、ショッピングモールサーバ１２０によりＷＷＷサーバ１６０によって、購入者端末７００に送信される（ステップＳ３０４）。
ショッピングモールサーバ１２０の店舗情報管理部１４３により検索された検索結果は、デフォルトソートでは、終了日の近い順／寄付率順／商品名五十音順で商品が、検索商品一覧画面（図４０図示）において表示される（ステップＳ３０６）。具体的には、商品名、現在の価格、寄付率、店舗名、オークション終了日が表示される。
また、「商品カテゴリ検索」においては、検索項目入力画面（図３９図示）に、商品カテゴリを入力することにより、商品分類からの絞り込み検索を行うことができる。検索項目入力として、探したい商品の分類名のハイパーリンクテキストをクリックすると、検索結果として、選んだ分類に属する分類が表示され、そこから分類を絞り込むことができる。項目の決定は、「商品検索」ボタンで行う。
ショッピングモールサーバ１２０の店舗情報管理部１４３により検索された検索結果は、ショッピングモールサーバ１２０によりＷＷＷサーバ１６０によって、購入者端末７００に送信される（ステップＳ３０５）。
その検索結果は、デフォルトソートで終了日の近い順／寄付率順／商品名五十音順に商品が、検索商品一覧画面（図４０図示）において表示される（ステップＳ３０６）。具体的には、商品名、現在の価格、寄付率、店舗名、オークション終了日が表示される。
【０１０１】
そして、オークションに参加したいときには、商品名をクリックすると（ステップＳ３０７）、次に、購入者端末７００にショッピングモールサーバ１２０より商品情報表示画面（図４１図示）が送信され表示される。
商品情報表示画面（図４１図示）においては、店舗名、商品名、商品ＩＤ、寄付額、商品の仕様／内容説明が表示され、さらに、オークションに関する情報が表示される。
オークションに関する情報としては、オークション開始日、オークション終了日、最低入札価格、最高入札者ニックネーム、現在の入札件数、現在の入札価格、入札の最小単位が表示される。そして、オークションに参加しようとする者が提示する入札価格の入力を促す「入札ボックス」に入札価格を入力し、「入札する」ボタンをクリックする（ステップＳ３０８）。
この入札価格に対し、入札が有効であるか無効であるかについては、ショッピングモールサーバ１２０のオークションによる注文管理部１４７によって判定がなされ、図４２に示すように、入札で入力された価格が、他の入札者より低く入札された場合には、再入札を促すダイアログボックスが表示され、入札で入力した価格が他の入札者より高く入力された場合には、最高値をつけられた旨の表示がなされ、入札が有効となる（ステップＳ３０９）。
【０１０２】
引き続き、購入者端末７００に、ショッピングモールサーバ１２０のオークションによる注文管理部１４７によりＷＷＷサーバ１６０を介して、ショッピング購入申込画面（図３６図示）に類似するオークション落札購入申込画面が送信され表示される。
オークションで落札した者が購入をしようとする場合には、この画面において、寄付先の選択を行い、さらに注文情報（氏名、フリガナ、メールアドレス、郵便番号、住所、電話番号、ファックス番号、合計金額（税込、送料込）、寄付額合計）を確認することを促す項目を確認するとともに、希望配達先をラジオボタンで指定し、注文情報に表示された場所以外の場所に配達を希望するときには、希望する配達先を入力フォームに入力する。
【０１０３】
さらに、オークション落札購入の商品情報の確認をする。このオークション落札購入申込画面（図３６図示に類似）において表示される商品情報としては、店舗名、商品名、商品ＩＤ、金額、寄付額、送料、合計金額（税込、送料込）、合計寄付額である。
なお、寄付先を選択するときにおいて、ＮＰＯの中から、その活動に応じて選択をしたいときには、オークション落札購入申込画面において、「参照」ボタンを押すと、ＮＰＯ選択画面がショッピングモールサーバ１２０より、購入者端末７００に送信され表示される。
ＮＰＯ活動カテゴリの中で、寄付をしたいと思われるカテゴリを選択すると、そのカテゴリに属する団体名が表示される。
そして、「寄付先登録」ボタンを押すと、オークション落札購入申込画面において、寄付先として選択される。
これらの入力を終えて、注文内容を確認すると、オークション落札購入希望者は、「注文内容確認のうえ、“次へ”」のボタンをクリックする。
【０１０４】
引き続き、ショッピングモールサーバ１２０より、購入者端末７００に、ショッピング商品購入確認画面（図３８図示）に類似するオークション落札購入確認画面が送信され表示される。落札購入希望者は、商品情報、配達先を含むオークション落札購入確認画面において、内容を確認し、購入を希望するときは、「購入」ボタンを押す。「購入」ボタンを押すと、決済システム８００の手続画面にリンクする。
【０１０５】
ショッピング・落札による商品購入者は、商品注文・寄付先内容に基づいて、任意の支払い機関において、商品購入代金の支払い処理を行うが、現金による支払いの場合は、次のように行う。
決済システム８００によって、現金による支払いの確認をしたショッピングモールサーバ１２０において、購入者の支払い完了を示すデータが入力された後は、電子メール送受信部１８０により商品販売者端末５００に支払い完了の確認を通知する電子メールが送信される。
支払い完了の確認を伝える電子メールを受信した商品販売者は、購入した商品のショッピング・落札内容を通知する電子メールの内容に基づいて、購入者へのショッピング・落札商品の発送を行う。
現金支払いについては、コンビニエンスストアの現金支払機や代引等があるが、これらを用いた現金支払いには、それらを取扱う決済代行会社を経由して直接に、あるいは決済システム８００を経由して、ショッピングモールサーバ１２０が入金完了の確認を通知する電子メール等の受信をする。
【０１０６】
また、クレジットの支払いの場合には、ショッピングモールサーバ１２０より決済手続・注文データが、決済システム８００の支払処理機関サーバ８１０に送信される。
決済手続・注文データを受信した支払処理機関サーバ８１０は、金融機関および各クレジット会社に対し、与信照会をする。
金融機関端末８２０からの与信結果を受信した支払処理機関サーバ８１０は、ショッピングモールサーバ１２０に対して、与信結果を返信する。このとき、与信がＯＫであれば注文が成立する。
この注文の成立したときには、支払処理機関サーバ８１０から、購入者端末７００および商品販売者端末５００に向けて、注文受け付け確認の電子メールが支払処理機関サーバ８１０によって配信される。
商品販売者、すなわちショッピング商品販売者およびオークション出品者は、注文情報を参照するために、ショッピングモールサーバ１２０より、注文が確定した商品内容や配達先情報等のより詳しい情報を入手して、注文内容の確認をする。
【０１０７】
商品販売者およびオークション出品者は、注文内容に従って商品を配達する。
それとともに、商品販売者端末５００より、出荷チェック情報が支払処理機関サーバ８１０に向けて、送信され、支払処理機関サーバ８１０において、出荷チェックをすることにより、受注が確定する。
また、支払処理機関サーバ８１０よりの指示により、支払処理機関から購入者端末７００に対し、出荷確認のメールが配信される。
【０１０８】
前記したように、購入代金の入金（現金・クレジット支払）がなされた後、金融機関端末８２０より、ショッピングモールサーバ１２０に対し、金融機関の手数料の差し引き後の金額の入金をする旨の通知がなされるとともに、金員の送金が行われる。
ショッピングモールサーバ１２０において、前記手数料差し引き後の入金の確認をした後、支払処理機関サーバ８１０に対し、支払処理機関の手数料を支払う旨の通知がなされるとともに、手数料が支払われる。
【０１０９】
ショッピングシステム運営者の会計上、寄付金を預り金勘定とするために、ショピングモールサーバ１２０は、購入代金のうちの寄付金については、預り金データベース部３８０に、各ＮＰＯ団体ごとに寄付される予定の寄付金額を預り金として記録し保管する。
【０１１０】
次に、商品販売者に対する支払管理業務について説明する。
まず、ショピングモールサーバ１２０は、ショッピングによる注文管理部１４６およびオークションによる注文管理部１４７により、落札データベース部２６０および注文データベース部２８０から受注データおよびキャンセル・返品データを抽出し、さらに、店舗別支払管理データおよびＮＰＯ別寄付貢献額データ、商品別売上集計データを抽出する。
そして、ショッピングモールサーバ１２０は、商品販売者端末５００に対し、店舗別支払管理データおよびＮＰＯ別寄付貢献額データ、商品別売上集計データを送信する。
そして、購入者よりの購入代金の入金の確認をしたうえで、各商品販売者に対する売上金額の入金の明細を出す。
ショッピングシステム運営者は、かかる指示に従い、金融機関端末８２０に対し、売上金額の送金指示を出す。
【０１１１】
次に、ＮＰＯ団体に対する管理基本フローについて説明する。
ショッピングモールサーバ１２０は、ショッピングによる注文管理部１４６およびオークションによる注文管理部１４７により、落札データベース部２６０および注文データベース部２８０から受注データおよびキャンセル・返品データを抽出し、ＮＰＯ別支払管理データおよび店舗別寄付貢献額データを抽出する。そして、ＮＰＯ支払の未処理累計金額データを抽出し、預り金データベース部３８０において記録し保管されている寄付金額のうち、未処理の寄付金について、ＮＰＯ団体端末６００に対し、ＮＰＯ別支払管理データを送信し、寄付金の支払処理を行う。また、店舗別寄付貢献額データもあわせてＮＰＯ団体端末６００に送信する。
【図面の簡単な説明】
【０１１２】
【図１】本発明に関連するネットワークを利用した商品購入の方法が適用されたショッピングシステムを示す図解図である。
【図２】ショッピングモールサーバを示す機能ブロック図である。
【図３】本発明に関連するネットワークを利用した商品購入の方法が適用されたショッピングシステム１０においてオークション販売が行われる場合の動作を示すフローチャート図である。
【図４】本発明に関連するネットワークを利用した商品購入の方法が適用されたショッピングシステム１０において指値による商品販売が行われる場合の動作を示すフローチャート図である。
【図５】この発明にかかるネットワークを利用した商品購入の方法が適用されたショッピングシステムを示す図解図である。
【図６】この発明にかかるネットワークを利用した商品購入の方法が適用された商品登録から決済までのフローの概要図である。
【図７】ショッピングモールサーバの機能ブロック図である。
【図８】ショッピングモールサーバのデータベースサーバの機能ブロック図である。
【図９】モール管理部の分類管理機能を示す画面図解図である。
【図１０】モール管理部における分類、ネット運営費比率の管理機能を示す画面図解図である。
【図１１】店舗情報管理部の店舗情報管理、検索機能を示す画面図解図である。
【図１２】会員管理部の会員情報管理機能を示す画面図解図である。
【図１３】ＮＰＯ管理部のＮＰＯ情報管理機能を示す画面図解図である。
【図１４】ＮＰＯ管理部のＮＰＯ支払管理機能を示す画面図解図である。
【図１５】ショッピングによる注文管理部のショッピング注文情報管理機能を示す画面図解図である。
【図１６】オークションによる注文管理部のオークション注文情報管理機能を示す画面図解図である。
【図１７】メール管理部の会員向けメール管理、検索機能を示す画面図解図である。
【図１８】店舗登録業務の流れを示したフロー図である。
【図１９】店舗情報管理の機能を示す画面図解図である。
【図２０】ショッピング商品情報管理の機能を示す画面図解図である。
【図２１】ショッピングにおける登録商品の登録、分類を示す画面図解図である。
【図２２】ショッピングにおける商品情報管理の機能を示す画面図解図である。
【図２３】オークション商品の新規登録方法を示す画面図解図である。
【図２４】ショッピング販売商品情報管理の方法を示す画面図解図である。
【図２５】オークション販売商品情報管理の方法を示す画面図解図である。
【図２６】注文管理方法を示す検索結果の画面図解図である。
【図２７】オークション落札管理方法を示す検索によるオークション落札一覧画面図解図である。
【図２８】ＮＰＯ団体における登録業務の流れを示したフロー図である。
【図２９】ＮＰＯ団体の情報管理を示す画面図解図である。
【図３０】ショッピングの流れ（その１）を示したフロー図である。
【図３１】ショッピングの流れ（その２）を示したフロー図である。
【図３２】オークションの流れを示したフロー図である。
【図３３】購入者向けトップページを示す画面図解図である。
【図３４】ショッピングにおける商品情報出力情報を示す商品情報表示画面図解図である。
【図３５】ショッピングにおける買い物かごの中身を示す買い物かごの中身画面図解図である。
【図３６】ショッピングにおける購入申込方法を示す購入申込画面図解図である。
【図３７】ショッピングにおけるＮＰＯ選択方法を示すＮＰＯ選択画面図解図である。
【図３８】ショッピングにおける購入申込方法を示す購入確認画面図解図である。
【図３９】オークション商品検索方法を示す検索項目入力画面図解図である。
【図４０】オークション商品検索方法を示す検索結果出力画面図解図である。
【図４１】オークションにおける商品情報表示方法を示す商品情報表示画面図解図である。
【図４２】オークションにおける購入方法を示すオークション入札有効・無効判定画面図解図である。
【図４３】会員の購入履歴管理を示す購入履歴画面図解図である。
【符号の説明】
【０１１３】
１０  ショッピングシステム
１２  購入者端末
１４  ショッピングモールサーバ
１６  商品販売者端末
１８  支払処理機関サーバ
１００  ネットワーク
１１０  ショッピングシステム
１２０  ショッピングモールサーバ
１４０  データベースサーバ
１４１  運用管理部
１４２  モール管理部
１４３  店舗情報管理部
１４４  会員管理部
１４５  ＮＰＯ管理部
１４６  ショッピングによる注文管理部
１４７  オークションによる注文管理部
１４８  メール管理部
１４９  寄付状況管理部
１５０  預り金管理部
１５１  購入管理部
１６０  ＷＷＷサーバ
１８０  電子メール送受信部
２２０  運用管理データベース部
２４０  商品データベース部
２６０  落札データベース部
２８０  注文データベース部
３００  会員データベース部
３１０  商品販売者データベース部
３２０  決済情報データベース部
３４０  寄付状況データベース部
３６０  寄付対象団体データベース部
３８０  預り金データベース部
４００  メールデータデータベース部
４２０  購入データベース部
５００  商品販売者端末
５０１  認証手段
５０２  店舗情報管理手段
５０３  商品情報管理手段
５０４  オークションによる商品情報管理手段
５０５  ショッピング注文管理手段
５０６  オークションによる落札管理手段
６００  ＮＰＯ団体端末
６０１  認証手段
６０２  ＮＰＯ団体情報管理手段
６０３  受取寄付管理手段
７００  購入者端末
８００  決済システム
８１０  支払処理機関サーバ
８２０  金融機関端末
【図１】
2004220629.tif 000003
【図２】
2004220629.tif 000004
【図３】
2004220629.tif 000005
【図４】
2004220629.tif 000006
【図５】
2004220629.tif 000007
【図６】
2004220629.tif 000008
【図７】
2004220629.tif 000009
【図８】
2004220629.tif 000010
【図９】
2004220629.tif 000011
【図１０】
2004220629.tif 000012
【図１１】
2004220629.tif 000013
【図１２】
2004220629.tif 000014
【図１３】
2004220629.tif 000015
【図１４】
2004220629.tif 000016
【図１５】
2004220629.tif 000017
【図１６】
2004220629.tif 000018
【図１７】
2004220629.tif 000019
【図１８】
2004220629.tif 000020
【図１９】
2004220629.tif 000021
【図２０】
2004220629.tif 000022
【図２１】
2004220629.tif 000023
【図２２】
2004220629.tif 000024
【図２３】
2004220629.tif 000025
【図２４】
2004220629.tif 000026
【図２５】
2004220629.tif 000027
【図２６】
2004220629.tif 000028
【図２７】
2004220629.tif 000029
【図２８】
2004220629.tif 000030
【図２９】
2004220629.tif 000031
【図３０】
2004220629.tif 000032
【図３１】
2004220629.tif 000033
【図３２】
2004220629.tif 000034
【図３３】
2004220629.tif 000035
【図３４】
2004220629.tif 000036
【図３５】
2004220629.tif 000037
【図３６】
2004220629.tif 000038
【図３７】
2004220629.tif 000039
【図３８】
2004220629.tif 000040
【図３９】
2004220629.tif 000041
【図４０】
2004220629.tif 000042
【図４１】
2004220629.tif 000043
【図４２】
2004220629.tif 000044
【図４３】
2004220629.tif 000045
【手続補正書】
【提出日】平成16年3月29日(2004.3.29)
【手続補正１】
【補正対象書類名】明細書
【補正対象項目名】０００９
【補正方法】変更
【補正の内容】
【０００９】
図１は、本発明にかかるネットワークを利用した商品購入の方法が適用されたショッピングシステムを示す図解図である。ショッピングシステム１０は、大略、購入者端末１２とショッピングモールサーバ１４と商品販売者端末１６と支払処理機関サーバ１８およびネットワーク１００から構成されている。
【手続補正２】
【補正対象書類名】明細書
【補正対象項目名】００２４
【補正方法】変更
【補正の内容】
【００２４】
図３は、本発明にかかるネットワークを利用した商品購入の方法が適用されたショッピングシステム１０においてオークション販売が行われる場合の動作を示すフローチャート図である。以下、図３を参照しながらオークション販売が行われる場合の動作について説明する。
【手続補正３】
【補正対象書類名】明細書
【補正対象項目名】００３３
【補正方法】変更
【補正の内容】
【００３３】
図４は、本発明にかかるネットワークを利用した商品購入の方法が適用されたショッピングシステム１０において指値による商品販売が行われる場合の動作を示すフローチャート図である。以下、図４を参照しながら指値による商品販売が行われる場合の動作について説明する。
【手続補正４】
【補正対象書類名】明細書
【補正対象項目名】０１１２
【補正方法】変更
【補正の内容】
【０１１２】
【図１】本発明にかかるネットワークを利用した商品購入の方法が適用されたショッピングシステムを示す図解図である。
【図２】ショッピングモールサーバを示す機能ブロック図である。
【図３】本発明にかかるネットワークを利用した商品購入の方法が適用されたショッピングシステム１０においてオークション販売が行われる場合の動作を示すフローチャート図である。
【図４】本発明にかかるネットワークを利用した商品購入の方法が適用されたショッピングシステム１０において指値による商品販売が行われる場合の動作を示すフローチャート図である。
【図５】この発明にかかるネットワークを利用した商品購入の方法が適用されたショッピングシステムを示す図解図である。
【図６】この発明にかかるネットワークを利用した商品購入の方法が適用された商品登録から決済までのフローの概要図である。
【図７】ショッピングモールサーバの機能ブロック図である。
【図８】ショッピングモールサーバのデータベースサーバの機能ブロック図である。
【図９】モール管理部の分類管理機能を示す画面図解図である。
【図１０】モール管理部における分類、ネット運営費比率の管理機能を示す画面図解図である。
【図１１】店舗情報管理部の店舗情報管理、検索機能を示す画面図解図である。
【図１２】会員管理部の会員情報管理機能を示す画面図解図である。
【図１３】ＮＰＯ管理部のＮＰＯ情報管理機能を示す画面図解図である。
【図１４】ＮＰＯ管理部のＮＰＯ支払管理機能を示す画面図解図である。
【図１５】ショッピングによる注文管理部のショッピング注文情報管理機能を示す画面図解図である。
【図１６】オークションによる注文管理部のオークション注文情報管理機能を示す画面図解図である。
【図１７】メール管理部の会員向けメール管理、検索機能を示す画面図解図である。
【図１８】店舗登録業務の流れを示したフロー図である。
【図１９】店舗情報管理の機能を示す画面図解図である。
【図２０】ショッピング商品情報管理の機能を示す画面図解図である。
【図２１】ショッピングにおける登録商品の登録、分類を示す画面図解図である。
【図２２】ショッピングにおける商品情報管理の機能を示す画面図解図である。
【図２３】オークション商品の新規登録方法を示す画面図解図である。
【図２４】ショッピング販売商品情報管理の方法を示す画面図解図である。
【図２５】オークション販売商品情報管理の方法を示す画面図解図である。
【図２６】注文管理方法を示す検索結果の画面図解図である。
【図２７】オークション落札管理方法を示す検索によるオークション落札一覧画面図解図である。
【図２８】ＮＰＯ団体における登録業務の流れを示したフロー図である。
【図２９】ＮＰＯ団体の情報管理を示す画面図解図である。
【図３０】ショッピングの流れ（その１）を示したフロー図である。
【図３１】ショッピングの流れ（その２）を示したフロー図である。
【図３２】オークションの流れを示したフロー図である。
【図３３】購入者向けトップページを示す画面図解図である。
【図３４】ショッピングにおける商品情報出力情報を示す商品情報表示画面図解図である。
【図３５】ショッピングにおける買い物かごの中身を示す買い物かごの中身画面図解図である。
【図３６】ショッピングにおける購入申込方法を示す購入申込画面図解図である。
【図３７】ショッピングにおけるＮＰＯ選択方法を示すＮＰＯ選択画面図解図である。
【図３８】ショッピングにおける購入申込方法を示す購入確認画面図解図である。
【図３９】オークション商品検索方法を示す検索項目入力画面図解図である。
【図４０】オークション商品検索方法を示す検索結果出力画面図解図である。
【図４１】オークションにおける商品情報表示方法を示す商品情報表示画面図解図である。
【図４２】オークションにおける購入方法を示すオークション入札有効・無効判定画面図解図である。
【図４３】会員の購入履歴管理を示す購入履歴画面図解図である。